(57)【要約】      （修正有）【課題】回転駆動源の回転エネルギーの一部を機械的に蓄積可能とし、蓄積された運動エネルギーを放出し、主軸に回転力を加えるよう作動し、省エネ可能とする新たな回転駆動力補助を提供する。【解決手段】主軸２がフレーム３に固定され、固定筒爪冠部４０を有する固定筒軸４、回転駆動源Ｍ、回転伝達機構Ｐ、逆転防止機構Ｒが設けられ、回転出力部Ｐ３および中央爪冠部５１が一体化された筒軸部５０、内端巻き渦巻きバネＳ１、中央環状カバー６を有する中央回転体５が設けられ、進退筒９０、回帰規制機構９１、基端爪冠部９７、先端爪冠部９８、外端巻き渦巻きバネＳ２が結合された回転力蓄積体９が、固定筒軸４と中央回転体５との間に設けられ、中央環状カバー６と、先端環状カバー９９との間に、外巻き力伝達機構８および自動進退機構７が設けられ、回転力蓄積体９の少なくとも正転方向の回転を規制する回転規制部Ｅが設けられた回転駆動力補助装置１である。【選択図】図１
2020041638.tif 000002
【特許請求の範囲】
【請求項１】
主軸がフレームに固定され、該主軸には、固定筒爪冠部を有する固定筒軸、回転駆動源、回転伝達機構、逆転防止機構が設けられると共に、回転出力部および中央爪冠部が一体化された筒軸部、内端巻き渦巻きバネ、中央環状カバーを有する中央回転体が設けられ、さらに進退筒、回帰規制機構、基端爪冠部、先端爪冠部、外端巻き渦巻きバネが結合された回転力蓄積体が、先の固定筒軸と中央回転体との間に設けられ、該中央回転体の中央環状カバーと先端環状カバーとの間には、外巻き力伝達機構および自動進退機構が設けられると共に、当該回転力蓄積体の少なくとも正転方向の回転を規制する回転規制部が設けられており、中央環状カバーの仮想軸心方向の先端がわと、先端環状カバーの仮想軸心方向の基端がわとの間に、内端巻き渦巻きバネおよび外端巻き渦巻きバネの双方が完全に巻き解かれた場合に、回転力蓄積体を仮想軸心方向の先端方向に後退作動し、内端巻き渦巻きバネおよび外端巻き渦巻きバネの双方が完全に巻き締められた場合に、回転力蓄積体を仮想軸心方向の基端方向に前進作動するものとされた自動進退機構、および、自動進退機構の進退作動状態に拘わらず、中央環状カバーの仮想軸心周りの正転方向の回転力を、回転力蓄積体の先端環状カバーに伝達する外巻き力伝達機構が設けられ、中央回転体の筒軸部の仮想軸心方向の先端の中央爪冠部に対し、回転力蓄積体の進退筒の基端の基端爪冠部が噛合された場合に、回転力蓄積体の先端環状カバーの仮想軸心周りの少なくとも逆転方向の回転を規制する回転規制部が、回転力蓄積体の先端環状カバーの外周囲壁とフレームとの間に設けられてなるものとした構成を要旨とする回転駆動力補助装置
【請求項２】
主軸が、仮想軸心上に配されるようフレームに固定され、固定筒爪冠部を有する固定筒軸が主軸の基端とは反対がわとなる先端に設けられ、主軸の近傍に回転駆動源が設けられ、主軸の基端に、回転駆動源から仮想軸心周りの正転方向の回転力を受ける回転伝達機構が装着され、主軸の両端間中央寄りに回転自在に装着された回転出力部と、回転出力部の仮想軸心方向の先端がわに設けられ、仮想軸心方向の先端に中央爪冠部が一体化された筒軸部と、筒軸部の外壁に内端が結合され、仮想軸心周りに巻かれた内端巻き渦巻きバネと、内端巻き渦巻きバネの外端に結合された中央環状カバーとを有する中央回転体が設けられ、回転駆動源から回転伝達機構および回転出力部に至る何れかの回転力伝達箇所に逆転防止機構が介在され、主軸の固定筒軸と中央回転体との間となる中途位置の周囲に対し、進退筒が回帰規制機構を介して回転自在に装着され、進退筒の仮想軸心方向の基端に基端爪冠部が一体化され、筒状体の仮想軸心方向の先端に先端爪冠部が一体化され、進退筒の外壁に、内端巻き渦巻きバネとは逆向きに巻かれると共に、内端巻き渦巻きバネよりも強い弾発力を有する外端巻き渦巻きバネの内端が結合され、外端巻き渦巻きバネの外端に先端環状カバーが結合された回転力蓄積体が設けられ、中央環状カバーの仮想軸心方向の先端がわと、先端環状カバーの仮想軸心方向の基端がわとの間に、内端巻き渦巻きバネおよび外端巻き渦巻きバネの双方が完全に巻き解かれた場合に、回転力蓄積体を仮想軸心方向の先端方向に後退作動し、内端巻き渦巻きバネおよび外端巻き渦巻きバネの双方が完全に巻き締められた場合に、回転力蓄積体を仮想軸心方向の基端方向に前進作動するものとされた自動進退機構、および、自動進退機構の進退作動状態に拘わらず、中央環状カバーの仮想軸心周りの正転方向の回転力を、回転力蓄積体の先端環状カバーに伝達する外巻き力伝達機構が設けられ、中央回転体の筒軸部の仮想軸心方向の先端の中央爪冠部に対し、回転力蓄積体の進退筒の基端の基端爪冠部が噛合された場合に、回転力蓄積体の先端環状カバーの仮想軸心周りの少なくとも逆転方向の回転を規制する回転規制部が、回転力蓄積体の先端環状カバーの外周囲壁とフレームとの間に設けられたものとされたことを特徴とする回転駆動力補助装置。
【請求項３】
主軸が、仮想軸心上に配されるようフレームに固定され、固定筒爪冠部を有する固定筒軸が主軸の基端とは反対がわとなる先端に設けられ、主軸の近傍に回転駆動源が設けられ、主軸の基端に、回転駆動源から仮想軸心周りの正転方向の回転力を受ける回転伝達機構が装着され、主軸の両端間中央寄りに回転自在に装着された回転出力部と、回転出力部の仮想軸心方向の先端がわに設けられ、仮想軸心方向の先端に中央爪冠部が一体化された筒軸部と、筒軸部の外壁に内端が結合され、仮想軸心周りに巻かれた内端巻き渦巻きバネと、内端巻き渦巻きバネの外端に結合された中央環状カバーとを有する中央回転体が設けられ、回転駆動源から回転伝達機構および回転出力部に至る何れかの回転力伝達箇所に逆転防止機構が介在され、主軸の固定筒軸と中央回転体との間となる中途位置の周囲に対し、進退筒が回帰規制機構を介して回転自在に装着され、進退筒の仮想軸心方向の基端に基端爪冠部が一体化され、筒状体の仮想軸心方向の先端に先端爪冠部が一体化され、進退筒の外壁に、内端巻き渦巻きバネとは逆向きに巻かれると共に、内端巻き渦巻きバネよりも強い弾発力を有する外端巻き渦巻きバネの内端が結合され、外端巻き渦巻きバネの外端に先端環状カバーが結合された回転力蓄積体が設けられ、中央環状カバーの仮想軸心方向の先端がわと、先端環状カバーの仮想軸心方向の基端がわとの間に、内端巻き渦巻きバネおよび外端巻き渦巻きバネの双方が完全に巻き解かれた場合に、回転力蓄積体を仮想軸心方向の先端方向に後退作動し、内端巻き渦巻きバネおよび外端巻き渦巻きバネの双方が完全に巻き締められた場合に、回転力蓄積体を仮想軸心方向の基端方向に前進作動するものとされた自動進退機構、および、自動進退機構の進退作動状態に拘わらず、中央環状カバーの仮想軸心周りの正転方向の回転力を、回転力蓄積体の先端環状カバーに伝達する外巻き力伝達機構が設けられ、中央回転体の筒軸部の仮想軸心方向の先端の中央爪冠部に対し、回転力蓄積体の進退筒の基端の基端爪冠部が噛合された場合に、回転力蓄積体の先端環状カバーの仮想軸心周りの少なくとも逆転方向の回転を規制する回転規制部が、回転力蓄積体の先端環状カバーの外周囲壁とフレームとの間に設けられ、内端巻き渦巻きバネおよび外端巻き渦巻きバネの双方が完全に巻き解かれた場合に、中央回転体の筒軸部の仮想軸心方向の先端の中央爪冠部から、仮想軸心方向の基端の基端爪冠部が離脱されると共に、仮想軸心方向の先端の先端爪冠部が、固定筒軸の仮想軸心方向の端の固定筒爪冠部に噛合し、内端巻き渦巻きバネと外端巻き渦巻きバネとに回転力が機械的に蓄積され、また、内端巻き渦巻きバネおよび外端巻き渦巻きバネの双方が完全に巻き締められた場合に、固定筒軸の仮想軸心方向の端の固定筒爪冠部から、仮想軸心方向の先端の先端爪冠部が離脱されると共に、仮想軸心方向の基端の基端爪冠部が、中央回転体の筒軸部の仮想軸心方向の先端の中央爪冠部に噛合するよう係合され、中央回転体の外巻き力伝達機構が、自動進退機構の進退作動状態に関わらず、中央環状カバーと先端環状カバーとを仮想軸心周り方向の少なくとも正転方向に係合し、自動進退機構に加わる遠心力が強い場合に、仮想軸心方向の基端がわに移動された先端環状カバーの仮想軸心周りの少なくとも逆転方向の回転を回転規制部が規制し、内端巻き渦巻きバネと外端巻き渦巻きバネとの夫々に機械的に蓄積された回転力が、互いの中央爪冠部と基端爪冠部とが噛合された筒軸部および進退筒を通じて回転出力部に対し、仮想軸心周りの正転方向の回転力として伝達するものとされたことを特徴とする回転駆動力補助装置。
【請求項４】
主軸が、仮想軸心上に配されるよう、主軸の基端または先端の中、少なくとも基端がフレームに固定され、主軸の基端とは反対がわの先端の周囲に、仮想軸心上の配置となる固定筒軸が設けられ、固定筒軸の主軸の基端がわに向けられた端に、固定筒爪冠部が一体化され、主軸の近傍に回転駆動源が設けられ、主軸の基端に、回転駆動源から仮想軸心周りの正転方向の回転力を受け、仮想軸心周りの正転方向に回転する回転伝達機構が装着され、主軸の両端間中央寄りに回転自在に装着された回転出力部と、回転出力部の仮想軸心方向の先端がわに設けられ、仮想軸心方向の先端に、仮想軸心周りの正転方向に噛合する垂辺、および、仮想軸心周りの正転方向とは逆向きの逆転方向に滑ると共に、仮想軸心周りの逆転方向の回転力を受けると仮想軸心方向の先端に向けたベクトルを生ずる傾斜辺が回転方向に交互に配された中央爪冠部が一体化された筒軸部と、筒軸部の外壁に内端が結合され、外端から内端に向けて仮想軸心周りの正転方向に巻かれた内端巻き渦巻きバネと、内端巻き渦巻きバネの外端に結合され、内端巻き渦巻きバネの外周囲を包囲する中央環状カバーとを有する中央回転体が設けられ、回転駆動源から回転伝達機構および回転出力部に至る何れかの回転力伝達箇所に、仮想軸心周りの正転方向のみの回転力を伝達し、逆転方向に空転する逆転防止機構が介在され、主軸の固定筒軸と中央回転体との間となる中途位置の周囲に対し、仮想軸心の仮想軸心方向の進退範囲を、節度感をもって規制可能な回帰規制機構を介在して回転自在に装着された進退筒と、進退筒の仮想軸心方向の基端に一体化され、中央回転体の中央爪冠部に噛合する形状とされ、仮想軸心周りの正転方向に噛合する垂辺、および、仮想軸心周りの正転方向とは逆向きの逆転方向には滑ると共に、仮想軸心周りの正転方向とは逆向きの逆転方向の回転力を受けると仮想軸心方向の先端に向けたベクトルを生ずる傾斜辺が回転方向に交互に配された基端爪冠部と、進退筒の仮想軸心方向の先端に一体化され、仮想軸心周りの正転方向に噛合する垂辺、および、仮想軸心周りの正転方向とは逆向きの逆転方向には滑ると共に、仮想軸心周りの逆転方向の回転力を受けると仮想軸心方向の基端に向けたベクトルを生ずる傾斜辺が回転方向に交互に配され、固定筒軸の固定筒爪冠部に噛合可能とされた先端爪冠部と、進退筒の外壁に内端が結合され、外端から内端に向けて内端巻き渦巻きバネとは逆向きとなるよう、仮想軸心周りの逆転方向に巻かれると共に、内端巻き渦巻きバネよりも強い弾発力を有するものとされた外端巻き渦巻きバネと、外端巻き渦巻きバネの外端に結合され、外端巻き渦巻きバネの外周囲を包囲する先端環状カバーとを有する回転力蓄積体が設けられ、中央環状カバーの仮想軸心方向の先端がわと、先端環状カバーの仮想軸心方向の基端がわとの間に、内端巻き渦巻きバネおよび外端巻き渦巻きバネの双方が完全に巻き解かれた場合に、回転力蓄積体を仮想軸心方向の先端方向に後退作動し、内端巻き渦巻きバネおよび外端巻き渦巻きバネの双方が完全に巻き締められた場合に、回転力蓄積体を仮想軸心方向の基端方向に前進作動するものとされた自動進退機構、および、自動進退機構の進退作動状態に拘わらず、中央環状カバーの仮想軸心周りの正転方向の回転力を、回転力蓄積体の先端環状カバーに伝達する外巻き力伝達機構が設けられ、中央回転体の筒軸部の仮想軸心方向の先端の中央爪冠部に対し、回転力蓄積体の進退筒の基端の基端爪冠部が噛合された場合に、回転力蓄積体の先端環状カバーの仮想軸心周りの少なくとも逆転方向の回転を規制する回転規制部が、回転力蓄積体の先端環状カバーの外周囲壁とフレームとの間に設けられ、内端巻き渦巻きバネおよび外端巻き渦巻きバネの双方が完全に巻き解かれた場合に、中央回転体の筒軸部の仮想軸心方向の先端の中央爪冠部から、仮想軸心方向の基端の基端爪冠部が離脱されると共に、仮想軸心方向の先端の先端爪冠部が、固定筒軸の仮想軸心方向の端の固定筒爪冠部に噛合し、内端巻き渦巻きバネと外端巻き渦巻きバネとに回転力が機械的に蓄積され、また、内端巻き渦巻きバネおよび外端巻き渦巻きバネの双方が完全に巻き締められた場合に、固定筒軸の仮想軸心方向の端の固定筒爪冠部から、仮想軸心方向の先端の先端爪冠部が離脱されると共に、仮想軸心方向の基端の基端爪冠部が、中央回転体の筒軸部の仮想軸心方向の先端の中央爪冠部に噛合するよう係合され、中央回転体の外巻き力伝達機構が、自動進退機構の進退作動状態に関わらず、中央環状カバーと先端環状カバーとを仮想軸心周り方向の少なくとも正転方向に係合し、自動進退機構に加わる遠心力が強い場合に、仮想軸心方向の基端がわに移動された先端環状カバーの仮想軸心周りの少なくとも逆転方向の回転を回転規制部が規制し、内端巻き渦巻きバネと外端巻き渦巻きバネとの夫々に機械的に蓄積された回転力が、互いの中央爪冠部と基端爪冠部とが噛合された筒軸部および進退筒を通じて回転出力部に対し、仮想軸心周りの正転方向の回転力として伝達するものとされたことを特徴とする回転駆動力補助装置。
【請求項５】
中央回転体の中央環状カバーが、内端巻き渦巻きバネの外周がわに、仮想軸心に同心上配置となる環状の回転慣性ウェイトが一体化されてなる、請求項１ないし請求項４何れか一記載の回転駆動力補助装置。
【請求項６】
自動進退機構が、中央環状カバーの仮想軸心方向の先端がわであって、仮想軸心周りに等角度間隔を隔てた複数箇所に設けられ、求心方向の弾発力を有し、遠心力を受けて圧縮される求心バネと、求心バネの求心方向の弾発力を受けた場合に先端環状カバーを、仮想軸心の先端に向けて移動するよう押圧し、求心バネが遠心力を受けて圧縮された場合に、先端環状カバーを、仮想軸心の先端に向けて移動するよう押圧力を消失するものとされたレバーとの組み合わせからなるものとされた、請求項１ないし５何れか一記載の回転駆動力補助装置。
【請求項７】
回転駆動源が、回転駆動源の回転数を制御する自動制御部と、回転出力部の出力回転数を検出し、検出した出力回転数を自動制御部に送信する回転数センサと、自動制御部に搭載され、回転数センサからの出力回転数の検出値に基づき、回転駆動源の回転数を自動制御可能とするソフトウェア、または、回転数センサからの出力回転数の検出値に基づき、回転駆動源の回転数を自動制御可能とする制御回路の少なくとも何れか一方とが設けられた、請求項１ないし６何れか一記載の回転駆動力補助装置。
【発明の詳細な説明】
【技術分野】
【０００１】
この発明は、回転駆動装置技術に関連するものであり、特に、回転駆動源からの回転入力を受け、外部への回転出力を安定に維持すると共に、回転駆動源のエネルギー消費量を大幅に削減可能とする回転駆動力補助装置を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                        
【背景技術】
【０００２】
（着目点）
我が国は、石油や天然ガスなどのエネルギー資源に乏しく、こうしたエネルギー資源の殆どを海外からの輸入に頼らざるを得ないという事情がある上、近年は、地球温暖化を抑制するため、温室効果ガスの削減が求められるなど、エネルギー利用のさらなる効率化や使用量の削減の努力が必要となり、このように様々な機械や機器に省エネ化の改善が求められる現状にあって、エンジンやモーターなどの回転駆動源を改良し、より効率的に回転エネルギーを取り出せるようにする新技術の開発が多方面で進められており、エンジンやモーターのような回転駆動源が組み込まれた回転駆動装置のエネルギー効率の改善策は、例えば、回転駆動源から出力部までの回転力伝達機構や変速機構などの運動エネルギーの伝達機構の摩擦を軽減する軸受機構や潤滑油などの改良が行われ、また、モーターを使用する回転駆動装置の場合には、電力回生ブレーキのように、出力軸の減速に伴い、駆動モーターが発電し、電気エネルギーの一部を回収する技術が開発されているが、化石燃料を用いたエンジンや、電力によって駆動するモーターなどの回転駆動源の種類に拘わらず、何れの回転駆動源を利用した場合にも、回転駆動源から出力される回転エネルギーの一部を機械的に蓄積し、回転駆動源の停止、起動の繰り返しや、クラッチ機構による断・続の繰り返しなどによるエネルギー消費量の削減を可能とし、しかもこのような回転入力の断続的な停止を、回転駆動中に蓄積された回転エネルギーの放出によって補填可能とし、回転駆動源からの入力が断続的に絶たれても、回転出力の安定化を達成するという技術は、未だ開発および提供されていないというのが実情である。
【０００３】
（従来の技術）
こうした状況を反映し、その打開策となるような提案も、これまでに散見されない訳ではない。
例えば、下記の特許文献１（１）に提案されているものに代表されるように、微風時の風車の回転エネルギーを、渦巻きバネに徐々に付勢させて渦巻きバネが付勢された後、渦巻きバネが消勢するエネルギーで、増速ギアを回転させ、増速ギアに設置された補助発電機を回転させて微風時の発電効率低下を改善する風力発電装置や、同特許文献１（２）に見られるような、固定された軸部材と同心する部位に、出力側となるドラムが回転自在に位置づけられ、前記ドラム内には、渦巻きバネが内接し得るように収納され、前記渦巻きバネの内端部は、前記固定軸部材に慣性回転できるように嵌装された回転子に結着され、渦巻きバネの外端部は、渦巻きバネを渦巻き方向に回動するための回転体に結着され、その回転体にモーターが減速機構を介して連係されており、従来の噛み合いクラッチの如く原動側を逆転する必要がなく、減速方式を自由に選択でき、かつ、設計の自由度を増大させることができ、従来の乗り上げクラッチで必要とされる駆動、従動系の同期回路や構造を省略することを可能とした電動アクチエータのクラッチ装置などが散見される。
【０００４】
しかし、前者特許文献１（１）に示されているような風力発電装置は、風車の軸に対して設置され、風車の回転力を受けて発電する主発電機と、風車の回転力を受けて付勢される渦巻きバネが、微風状態の場合に消勢し、該渦巻きバネの消勢による回転力を受けて発電する補助発電機とを有しており、該主発電機および補助発電機、さらに、風車の軸にウォームギアを介して接続された渦巻きバネから、補助発電機までの間に、増速ギア、ストッパーとギア、および、ストッパー駆動用のモーターなどが設けられていて、部品点数が多いいだけではなく、構造が複雑化、大型化してしまうという欠点があり、また、特許文献１（２）の電動アクチエータのクラッチ装置に示されるものなどでは、固定軸部材に同心上に設けられたウォームホイールの筒室内にドラムが緩く嵌め込まれ、ドラム内に、互いに渦巻き方向を逆向きとされた２個の渦巻きバネが、夫々の内端部を、該固定軸部材に慣性回転できるようにして嵌装させた回転子の一端寄りと他端寄りとの夫々に結着されるようにし、該固定軸部材に回転自在に配され、該ドラムに内接し得るよう収納され、各渦巻きバネの外端部が、ウォームホイールの端板に植立された偏心腕部材に夫々結着されるようにしたもので、自動車のドアロックなどに使用される電動アクチエータのクラッチ装置となるだけのものであり、それら２個の渦巻きバネに蓄積されたエネルギーが、ウォームホイールの回転の加速に利用されるようにしたものとはならず、したがって、ウォームホイールの回転を効率化し得る効果などが期待できるものとはなっていない。                                                                                  
【特許文献１】（１）特開２０１１−１７４４５７号公報    （２）実開昭６０−８７９７３号公報
【発明の概要】
【発明が解決しようとする課題】
【０００５】
（問題意識）
上述したとおり、従前までに提案のある風力発電装置などは、風車の軸に直結された主発電機に加え、渦巻きバネの消勢による発電を行う補助発電機が必要となり、それらに付随する伝動機構類やセンサ類、渦巻きバネ用の制御機構など、構造の複雑化と部品点数の増加、装置の大型化、および製造コストの増大が避けられないという難点がある上、互いに渦巻き方向を逆向きとされた２個の渦巻きバネが設けられている電動アクチエータのクラッチ装置などは、構造を簡素化したクラッチ機構を実現化しただけのものであって、電動モーターの回転駆動を効率化するものとはならないものであるなどといった現状の技術に鑑み、回転作動中に回転力を機械的に蓄積し、回転入力の断続的な停止があっても、蓄積された回転エネルギーの放出によって減少する回転力を補填可能とし、回転出力の安定化を達成する新技術の開発および提供の必要性を痛感するに至ったものである。
【０００６】
（発明の目的）
そこで、この発明は、回転駆動源から出力される回転エネルギーの一部を機械的に蓄積可能とし、十分な運動エネルギーが蓄積された場合に、蓄積された運動エネルギーを放出し、主軸に回転力を加えるよう作動し、このタイミングで回転駆動源の回転出力を一時的にカット可能とし、省エネ可能とする新たな回転駆動力補助技術の開発はできないものかとの判断から、逸速くその開発、研究に着手し、長期に渡る試行錯誤と幾多の試作、実験とを繰り返してきた結果、今回、遂に新規な構造の回転駆動力補助装置を実現化することに成功したものであり、以下では、図面に示すこの発明を代表する実施例と共に、その構成を詳述することとする。                                                                          
【課題を解決するための手段】
【０００７】
（発明の構成）
図面に示すこの発明を代表する実施例からも明確に理解されるように、この発明の回転駆動力補助装置は、基本的に次のような構成から成り立っている。
即ち、主軸がフレームに固定され、該主軸には、固定筒爪冠部を有する固定筒軸、回転駆動源、回転伝達機構、逆転防止機構が設けられると共に、回転出力部および中央爪冠部が一体化された筒軸部、内端巻き渦巻きバネ、中央環状カバーを有する中央回転体が設けられ、さらに進退筒、回帰規制機構、基端爪冠部、先端爪冠部、外端巻き渦巻きバネが結合された回転力蓄積体が、先の固定筒軸と中央回転体との間に設けられ、該中央回転体の中央環状カバーと先端環状カバーとの間には、外巻き力伝達機構および自動進退機構が設けられると共に、当該回転力蓄積体の少なくとも正転方向の回転を規制する回転規制部が設けられており、中央環状カバーの仮想軸心方向の先端がわと、先端環状カバーの仮想軸心方向の基端がわとの間に、内端巻き渦巻きバネおよび外端巻き渦巻きバネの双方が完全に巻き解かれた場合に、回転力蓄積体を仮想軸心方向の先端方向に後退作動し、内端巻き渦巻きバネおよび外端巻き渦巻きバネの双方が完全に巻き締められた場合に、回転力蓄積体を仮想軸心方向の基端方向に前進作動するものとされた自動進退機構、および、自動進退機構の進退作動状態に拘わらず、中央環状カバーの仮想軸心周りの正転方向の回転力を、回転力蓄積体の先端環状カバーに伝達する外巻き力伝達機構が設けられ、中央回転体の筒軸部の仮想軸心方向の先端の中央爪冠部に対し、回転力蓄積体の進退筒の基端の基端爪冠部が噛合された場合に、回転力蓄積体の先端環状カバーの仮想軸心周りの少なくとも逆転方向の回転を規制する回転規制部が、回転力蓄積体の先端環状カバーの外周囲壁とフレームとの間に設けられてなるものとした構成を要旨とする回転駆動力補助装置である。
【０００８】
この基本的な構成からなる回転駆動力補助装置を、より具体的なものとして示せば、主軸が、仮想軸心上に配されるようフレームに固定され、固定筒爪冠部を有する固定筒軸が主軸の基端とは反対がわとなる先端に設けられ、主軸の近傍に回転駆動源が設けられ、主軸の基端に、回転駆動源から仮想軸心周りの正転方向の回転力を受ける回転伝達機構が装着され、主軸の両端間中央寄りに回転自在に装着された回転出力部と、回転出力部の仮想軸心方向の先端がわに設けられ、仮想軸心方向の先端に中央爪冠部が一体化された筒軸部と、筒軸部の外壁に内端が結合され、仮想軸心周りに巻かれた内端巻き渦巻きバネと、内端巻き渦巻きバネの外端に結合された中央環状カバーとを有する中央回転体が設けられ、回転駆動源から回転伝達機構および回転出力部に至る何れかの回転力伝達箇所に逆転防止機構が介在され、主軸の固定筒軸と中央回転体との間となる中途位置の周囲に対し、進退筒が回帰規制機構を介して回転自在に装着され、進退筒の仮想軸心方向の基端に基端爪冠部が一体化され、筒状体の仮想軸心方向の先端に先端爪冠部が一体化され、進退筒の外壁に、内端巻き渦巻きバネとは逆向きに巻かれると共に、内端巻き渦巻きバネよりも強い弾発力を有する外端巻き渦巻きバネの内端が結合され、外端巻き渦巻きバネの外端に先端環状カバーが結合された回転力蓄積体が設けられ、中央環状カバーの仮想軸心方向の先端がわと、先端環状カバーの仮想軸心方向の基端がわとの間に、内端巻き渦巻きバネおよび外端巻き渦巻きバネの双方が完全に巻き解かれた場合に、回転力蓄積体を仮想軸心方向の先端方向に後退作動し、内端巻き渦巻きバネおよび外端巻き渦巻きバネの双方が完全に巻き締められた場合に、回転力蓄積体を仮想軸心方向の基端方向に前進作動するものとされた自動進退機構、および、自動進退機構の進退作動状態に拘わらず、中央環状カバーの仮想軸心周りの正転方向の回転力を、回転力蓄積体の先端環状カバーに伝達する外巻き力伝達機構が設けられ、中央回転体の筒軸部の仮想軸心方向の先端の中央爪冠部に対し、回転力蓄積体の進退筒の基端の基端爪冠部が噛合された場合に、回転力蓄積体の先端環状カバーの仮想軸心周りの少なくとも逆転方向の回転を規制する回転規制部が、回転力蓄積体の先端環状カバーの外周囲壁とフレームとの間に設けられてなるものとした構成を要旨とする回転駆動力補助装置と言うことができる。
【０００９】
さらに、より一層具体的には、主軸が、仮想軸心上に配されるようフレームに固定され、固定筒爪冠部を有する固定筒軸が主軸の基端とは反対がわとなる先端に設けられ、主軸の近傍に回転駆動源が設けられ、主軸の基端に、回転駆動源から仮想軸心周りの正転方向の回転力を受ける回転伝達機構が装着され、主軸の両端間中央寄りに回転自在に装着された回転出力部と、回転出力部の仮想軸心方向の先端がわに設けられ、仮想軸心方向の先端に中央爪冠部が一体化された筒軸部と、筒軸部の外壁に内端が結合され、仮想軸心周りに巻かれた内端巻き渦巻きバネと、内端巻き渦巻きバネの外端に結合された中央環状カバーとを有する中央回転体が設けられ、回転駆動源から回転伝達機構および回転出力部に至る何れかの回転力伝達箇所に逆転防止機構が介在され、主軸の固定筒軸と中央回転体との間となる中途位置の周囲に対し、進退筒が回帰規制機構を介して回転自在に装着され、進退筒の仮想軸心方向の基端に基端爪冠部が一体化され、筒状体の仮想軸心方向の先端に先端爪冠部が一体化され、進退筒の外壁に、内端巻き渦巻きバネとは逆向きに巻かれると共に、内端巻き渦巻きバネよりも強い弾発力を有する外端巻き渦巻きバネの内端が結合され、外端巻き渦巻きバネの外端に先端環状カバーが結合された回転力蓄積体が設けられ、中央環状カバーの仮想軸心方向の先端がわと、先端環状カバーの仮想軸心方向の基端がわとの間に、内端巻き渦巻きバネおよび外端巻き渦巻きバネの双方が完全に巻き解かれた場合に、回転力蓄積体を仮想軸心方向の先端方向に後退作動し、内端巻き渦巻きバネおよび外端巻き渦巻きバネの双方が完全に巻き締められた場合に、回転力蓄積体を仮想軸心方向の基端方向に前進作動するものとされた自動進退機構、および、自動進退機構の進退作動状態に拘わらず、中央環状カバーの仮想軸心周りの正転方向の回転力を、回転力蓄積体の先端環状カバーに伝達する外巻き力伝達機構が設けられ、中央回転体の筒軸部の仮想軸心方向の先端の中央爪冠部に対し、回転力蓄積体の進退筒の基端の基端爪冠部が噛合された場合に、回転力蓄積体の先端環状カバーの仮想軸心周りの少なくとも逆転方向の回転を規制する回転規制部が、回転力蓄積体の先端環状カバーの外周囲壁とフレームとの間に設けられ、内端巻き渦巻きバネおよび外端巻き渦巻きバネの双方が完全に巻き解かれた場合に、中央回転体の筒軸部の仮想軸心方向の先端の中央爪冠部から、仮想軸心方向の基端の基端爪冠部が離脱されると共に、仮想軸心方向の先端の先端爪冠部が、固定筒軸の仮想軸心方向の端の固定筒爪冠部に噛合し、内端巻き渦巻きバネと外端巻き渦巻きバネとに回転力が機械的に蓄積され、また、内端巻き渦巻きバネおよび外端巻き渦巻きバネの双方が完全に巻き締められた場合に、固定筒軸の仮想軸心方向の端の固定筒爪冠部から、仮想軸心方向の先端の先端爪冠部が離脱されると共に、仮想軸心方向の基端の基端爪冠部が、中央回転体の筒軸部の仮想軸心方向の先端の中央爪冠部に噛合するよう係合され、中央回転体の外巻き力伝達機構が、自動進退機構の進退作動状態に関わらず、中央環状カバーと先端環状カバーとを仮想軸心周り方向の少なくとも正転方向に係合し、自動進退機構に加わる遠心力が強い場合に、仮想軸心方向の基端がわに移動された先端環状カバーの仮想軸心周りの少なくとも逆転方向の回転を回転規制部が規制し、内端巻き渦巻きバネと外端巻き渦巻きバネとの夫々に機械的に蓄積された回転力が、互いの中央爪冠部と基端爪冠部とが噛合された筒軸部および進退筒を通じて回転出力部に対し、仮想軸心周りの正転方向の回転力として伝達するものとされた構成からなる回転駆動力補助装置となる。
【００１０】
これを、さらに具体的なものとして示せば、主軸が、仮想軸心上に配されるよう、主軸の基端または先端の中、少なくとも基端がフレームに固定され、主軸の基端とは反対がわの先端の周囲に、仮想軸心上の配置となる固定筒軸が設けられ、固定筒軸の主軸の基端がわに向けられた端に、固定筒爪冠部が一体化され、主軸の近傍に回転駆動源が設けられ、主軸の基端に、回転駆動源から仮想軸心周りの正転方向の回転力を受け、仮想軸心周りの正転方向に回転する回転伝達機構が装着され、主軸の両端間中央寄りに回転自在に装着された回転出力部と、回転出力部の仮想軸心方向の先端がわに設けられ、仮想軸心方向の先端に、仮想軸心周りの正転方向に噛合する垂辺、および、仮想軸心周りの正転方向とは逆向きの逆転方向に滑ると共に、仮想軸心周りの逆転方向の回転力を受けると仮想軸心方向の先端に向けたベクトルを生ずる傾斜辺が回転方向に交互に配された中央爪冠部が一体化された筒軸部と、筒軸部の外壁に内端が結合され、外端から内端に向けて仮想軸心周りの正転方向に巻かれた内端巻き渦巻きバネと、内端巻き渦巻きバネの外端に結合され、内端巻き渦巻きバネの外周囲を包囲する中央環状カバーとを有する中央回転体が設けられ、回転駆動源から回転伝達機構および回転出力部に至る何れかの回転力伝達箇所に、仮想軸心周りの正転方向のみの回転力を伝達し、逆転方向に空転する逆転防止機構が介在され、主軸の固定筒軸と中央回転体との間となる中途位置の周囲に対し、仮想軸心の仮想軸心方向の進退範囲を、節度感をもって規制可能な回帰規制機構を介在して回転自在に装着された進退筒と、進退筒の仮想軸心方向の基端に一体化され、中央回転体の中央爪冠部に噛合する形状とされ、仮想軸心周りの正転方向に噛合する垂辺、および、仮想軸心周りの正転方向とは逆向きの逆転方向には滑ると共に、仮想軸心周りの正転方向とは逆向きの逆転方向の回転力を受けると仮想軸心方向の先端に向けたベクトルを生ずる傾斜辺が回転方向に交互に配された基端爪冠部と、進退筒の仮想軸心方向の先端に一体化され、仮想軸心周りの正転方向に噛合する垂辺、および、仮想軸心周りの正転方向とは逆向きの逆転方向には滑ると共に、仮想軸心周りの逆転方向の回転力を受けると仮想軸心方向の基端に向けたベクトルを生ずる傾斜辺が回転方向に交互に配され、固定筒軸の固定筒爪冠部に噛合可能とされた先端爪冠部と、進退筒の外壁に内端が結合され、外端から内端に向けて内端巻き渦巻きバネとは逆向きとなるよう、仮想軸心周りの逆転方向に巻かれると共に、内端巻き渦巻きバネよりも強い弾発力を有するものとされた外端巻き渦巻きバネと、外端巻き渦巻きバネの外端に結合され、外端巻き渦巻きバネの外周囲を包囲する先端環状カバーとを有する回転力蓄積体が設けられ、中央環状カバーの仮想軸心方向の先端がわと、先端環状カバーの仮想軸心方向の基端がわとの間に、内端巻き渦巻きバネおよび外端巻き渦巻きバネの双方が完全に巻き解かれた場合に、回転力蓄積体を仮想軸心方向の先端方向に後退作動し、内端巻き渦巻きバネおよび外端巻き渦巻きバネの双方が完全に巻き締められた場合に、回転力蓄積体を仮想軸心方向の基端方向に前進作動するものとされた自動進退機構、および、自動進退機構の進退作動状態に拘わらず、中央環状カバーの仮想軸心周りの正転方向の回転力を、回転力蓄積体の先端環状カバーに伝達する外巻き力伝達機構が設けられ、中央回転体の筒軸部の仮想軸心方向の先端の中央爪冠部に対し、回転力蓄積体の進退筒の基端の基端爪冠部が噛合された場合に、回転力蓄積体の先端環状カバーの仮想軸心周りの少なくとも逆転方向の回転を規制する回転規制部が、回転力蓄積体の先端環状カバーの外周囲壁とフレームとの間に設けられ、内端巻き渦巻きバネおよび外端巻き渦巻きバネの双方が完全に巻き解かれた場合に、中央回転体の筒軸部の仮想軸心方向の先端の中央爪冠部から、仮想軸心方向の基端の基端爪冠部が離脱されると共に、仮想軸心方向の先端の先端爪冠部が、固定筒軸の仮想軸心方向の端の固定筒爪冠部に噛合し、内端巻き渦巻きバネと外端巻き渦巻きバネとに回転力が機械的に蓄積され、また、内端巻き渦巻きバネおよび外端巻き渦巻きバネの双方が完全に巻き締められた場合に、固定筒軸の仮想軸心方向の端の固定筒爪冠部から、仮想軸心方向の先端の先端爪冠部が離脱されると共に、仮想軸心方向の基端の基端爪冠部が、中央回転体の筒軸部の仮想軸心方向の先端の中央爪冠部に噛合するよう係合され、中央回転体の外巻き力伝達機構が、自動進退機構の進退作動状態に関わらず、中央環状カバーと先端環状カバーとを仮想軸心周り方向の少なくとも正転方向に係合し、自動進退機構に加わる遠心力が強い場合に、仮想軸心方向の基端がわに移動された先端環状カバーの仮想軸心周りの少なくとも逆転方向の回転を回転規制部が規制し、内端巻き渦巻きバネと外端巻き渦巻きバネとの夫々に機械的に蓄積された回転力が、互いの中央爪冠部と基端爪冠部とが噛合された筒軸部および進退筒を通じて回転出力部に対し、仮想軸心周りの正転方向の回転力として伝達するものとされた構成からなる回転駆動力補助装置となる。                                                                                  
【発明の効果】
【００１１】
以上のとおり、この発明の回転駆動力補助装置によれば、従前までのものとは違い、上記したとおりの固有の特徴ある構成から、回転駆動源から逆転防止機構を介して入力された回転エネルギーの一部を、回転出力部より外部に出力すると共に、回転駆動源から逆転防止機構を介して入力された回転エネルギーの他の一部を、内端巻き渦巻きバネおよび外端巻き渦巻きバネの双方巻き締め力として機械的に蓄積し、それら内端巻き渦巻きバネおよび外端巻き渦巻きバネの双方の巻き締めが完了すると、回転駆動源からの入力が停止され、それら内端巻き渦巻きバネおよび外端巻き渦巻きバネの双方に蓄えられた巻き締めエネルギーを回転出力部に向けて解放し、回転駆動源からの入力が停止されている間も、回転出力部が安定した回転エネルギーを外部へ出力するものとされ、それら内端巻き渦巻きバネおよび外端巻き渦巻きバネの双方が巻き解かれると、再び、回転駆動源からの入力が再開され、回転駆動源から入力された回転エネルギーの一部を、回転出力部より外部に出力し、回転駆動源から入力された回転エネルギーの他の一部を、内端巻き渦巻きバネおよび外端巻き渦巻きバネの双方巻き締め力として機械的に蓄積するという作動が自動的に得られ、回転駆動源からの回転エネルギーの入力および入力停止が断続的に繰り返されることとなり、回転駆動源のエネルギー消費量を大幅に節減することができるから、回転駆動源を駆動するのに要する電力や化石燃料などの使用量と、二酸化炭素の排出量とを削減し、より自然環境に優しい回転駆動装置を提供可能なものとすることができるという秀でた特徴が得られるものである。
【００１２】
加えて、中央回転体の中央環状カバーが、内端巻き渦巻きバネの外周がわに、仮想軸心に同心上配置となる環状の回転慣性ウェイトが一体化されてなる、この発明の回転駆動力補助装置は、中央回転体の仮想軸心周りの正回転方向に回転する慣性力を増大できるから、回転駆動源からの仮想軸心周りの正回転方向の入力が停止された後にも、より強い回転トルクが維持される上、内端巻き渦巻きバネおよび外端巻き渦巻きバネの双方を巻き締める力を強めて、より安定した巻き締めが可能となるという効果を奏するものとなる。
【００１３】
また、自動進退機構が、中央環状カバーの仮想軸心方向の先端がわであって、仮想軸心周りに等角度間隔を隔てた複数箇所に設けられ、求心方向の弾発力を有し、遠心力を受けて圧縮される求心バネと、求心バネの求心方向の弾発力を受けた場合に先端環状カバーを、仮想軸心の先端に向けて移動するよう押圧し、求心バネが遠心力を受けて圧縮された場合に、先端環状カバーを、仮想軸心の先端に向けて移動するよう押圧力を消失するものとされたレバーとの組み合わせからなるものとされた、この発明の回転駆動力補助装置は、求心バネとレバーとの組み合わせという簡素な構造により、回転駆動源から入力される回転力によって発生する遠心力を利用し、回転力蓄積体を自動的に仮想軸心の軸心方向に進退移動するよう自動的に制御するものとなるから、部品点数の増加や装置構造の複雑化および装置の大型化を防ぎ、より小型、軽量化することができるものとなる。
【００１４】
回転駆動源が、回転駆動源の回転数を制御する自動制御部と、回転出力部の出力回転数を検出し、検出した出力回転数を自動制御部に送信する回転数センサと、自動制御部に搭載され、回転数センサからの出力回転数の検出値に基づき、回転駆動源の回転数を自動制御可能とするソフトウェア、または、回転数センサからの出力回転数の検出値に基づき、回転駆動源の回転数を自動制御可能とする制御回路の少なくとも何れか一方とが設けられた、この発明の回転駆動力補助装置によれば、回転出力部の出力回転数の変化に基づき、回転駆動源をより効率的に制御することが可能となり、電力や化石燃料などの使用量をより一段と削減できるという大きな特徴も有している。                                                                
【発明を実施するための最良の形態】
【００１５】
上記したとおりの構成からなるこの発明の実施に際し、その最良もしくは望ましい形態について説明を加えることにする。
主軸は、回転駆動源からの回転力を受けて回転する各回転部品、および、外部に向けて回転エネルギーを出力する回転部品などを仮想軸心周りに回転自在に軸支する機能を担い、仮想軸心上に配されるようフレームに固定されたものとしなければならず、仮想軸心は、鉛直姿勢、水平姿勢、または何れかの方向に傾斜された姿勢の何れか一つに設定されたものとすることができる外、この発明の回転駆動力補助装置の作動や停止などの状態に拘わらず、仮想軸心の姿勢が変化されるものとすることが可能であり、主軸は、後述する実施例にも示すように、仮想軸心上に配されるよう、主軸の基端または先端の中、少なくとも基端がフレームに固定されたものとすべきであるが、主軸の先端のみ、または、主軸の両端ともがフレームに固定されたものとすることが可能である。
【００１６】
フレームは、この発明の回転駆動力補助装置の主軸、および、その外の部品類を支持可能とする機能を分担し、主軸、および、その外の部品類を収容可能な容器状のものとすることが可能であり、容器状のものとされた場合には、一部に出力用の開口部が設けられたものとすべきであり、骨格枠からなるものや、一部に開閉可能または常時開放状態の何れか一とされたメンテナンス用の開口部、または、一部に開閉可能または開閉不能の何れか一とされた透明板材製の観察窓を有する筐体状のものなどとすることが可能である外、後述する実施例にも示しているように、対峙壁を有する箱形枠状のものとされ、内部に収容された部品類を支持するのに留まらず、外力から保護するものとすることができる外、後述する実施例には示していないが、フレームが、筐体状のものとされ、出力用のプーリや歯車などを軸端に有する回転軸が壁面に貫通され、外部出力可能なものとされ、該出力用回転軸の貫通部分、およびその他の開口部などに、充填材やパッキング材などの防水部材が設けられ、外部からの水や粉塵類などの浸入を防止可能なものとすることができる。
【００１７】
固定筒軸は、主軸の仮想軸心の軸心方向の先端付近に、仮想軸心の軸心方向の基端に向けられた固定筒爪冠部を支持する機能を担い、主軸の先端に、仮想軸心の周囲に、主軸の外周壁との間に間隙を隔てて配された筒状をなし、固定筒爪冠部が、回転力蓄積体の進退筒の先端爪冠部に噛合する直径に設定され、固定筒爪冠部は、進退筒の仮想軸心の軸心方向の先端の先端爪冠部に噛合する形状のものとされ、固定筒爪冠部に、先端爪冠部が噛合された場合には、外端巻き渦巻きバネが、完全に巻き締められるまでの間、進退筒の仮想軸心周りの正転方向およびそれとは逆転方向の双方の回転を規制するものとなり、外端巻き渦巻きバネが、完全に巻き締められた直後に、先端爪冠部に対して、仮想軸心の基端に向けたベクトルを生ずるものとすべきであり、後述する実施例にも示すように、固定筒爪冠部は、仮想軸心周りの正転方向に対し、仮想軸心の軸心方向の基端がわへ傾斜し、外端巻き渦巻きバネが、完全に巻き締められるまで先端爪冠部との噛合が維持されるよう摩擦力を確保され、外端巻き渦巻きバネが、完全に巻き締められ、外端巻き渦巻きバネが、完全に巻き締める回転力を超えた仮想軸心周りの正転方向の回転力を受けると仮想軸心方向の基端に向けたベクトルを生ずる傾斜角度（仮想軸心周りの正転方向に向かうに従い、仮想軸心の軸心方向の基端がわに近づく傾斜角度）に設定された傾斜辺と、仮想軸心周りの逆転方向に対し、垂直であって傾斜辺の仮想軸心の軸心方向の長さに一致された垂辺とが、仮想軸心周りの等角度間隔毎に順次交互に配されたものとするのが良く、より具体的には、傾斜辺と垂辺とを有する爪が、仮想軸心周りの３６０°に１個か、または、傾斜辺と垂辺とを有する爪が、仮想軸心周りの１８０°、１２０°、９０°、６０°、４５°、４０°、３６°、３０°、２４°２２．５°、２０°、１８°、１５°、１４．４°、１２°、１１．２５°、１０°、９°、８°、７．５°、７．２°、６°、５°、４．５°、３．７５°、３．６°、３°、２．８８°などの何れかの等角度間隔毎に１個、合計複数個が連続的に配されたものかの何れか一方のものとすることができる。
【００１８】
回転駆動源は、回転伝達機構に仮想軸心周りの正転方向の回転を入力し、さらに、中央回転体の回転出力部の回転数の増減に応じて、仮想軸心周りの正転方向の回転の入力と、入力の停止とを交互に繰り返す機能を分担し、回転伝達機構に仮想軸心周りの正転方向の回転力を入力するものとしなければならず、エンジンやモーター、蒸気機関などの外、風車や水車などの回転力を発生可能なものであって、フレームの内がわまたは外がわの何れか一方に設けられたものとすることができ、後述する実施例にも示しているように、中央回転体の回転出力部の回転数の増減に応じて、仮想軸心周りの正転方向の回転の入力と、入力の停止とを断続的に繰り返すよう、回転駆動源を自動的に制御可能な自動制御部が設けられたものとすることができる。
【００１９】
回転駆動源の自動制御部は、回転出力部の出力回転数の変化に応じて、回転駆動源の回転数を制御する機能を分担し、回転出力部の出力回転数を検出し、検出した出力回転数を自動制御部に送信する回転数センサと、自動制御部に搭載され、回転数センサからの出力回転数の検出値に基づき、回転駆動源の回転数を自動制御可能とする制御回路とすることができ、また、制御回路は、リレー回路とすることができる外、制御回路は、回転出力部の出力回転数を検出することなく、回転駆動源の起動と、停止との制御のタイミングを、中央回転体の回転数の増減の一定のリズム（一定のタイミング）に合致するよう、一定の時間毎に回転駆動源の起動と停止とを繰り返し、効率良く回転出力部を仮想軸心周りの正転方向に加速するよう制御するものとされたものとすることが可能であり、後述する実施例にも示しているが、自動制御部は、回転出力部の出力回転数を検出し、検出した出力回転数を自動制御部に送信する回転数センサと、自動制御部に搭載され、回転数センサからの出力回転数の検出値に基づき、回転駆動源の回転数を自動制御可能とするソフトウェアとを有するものとすることができる。
【００２０】
回転伝達機構は、回転駆動源が出力する回転力を、中央回転体（回転出力部）に対して仮想軸心周りの正転方向の回転力として伝達する機能を担うものであり、例えば、歯車、スプロケットとチェーン、ベルト車と無端ベルト、プーリと無端ベルトなどの何れかとすることができ、中央回転体の回転出力部との間に逆転防止機構が介在されたものとするのが望ましく、後述する実施例にも示している通り、回転駆動源の駆動軸に設けられた駆動プーリと、主軸の仮想軸心の基端寄りとなる位置に、仮想軸心周りに回転自在に装着された従動プーリと、駆動プーリと従動プーリとに巻き掛けられた無端ベルトとからなるものとするのが良い。
【００２１】
逆転防止機構は、回転駆動源、回転伝達機構および中央回転体の回転出力部の回転方向を仮想軸心周りの正転方向に規制し、逆転を防止可能とする機能を担っており、回転駆動源それ自体か、回転駆動源と回転伝達機構との間か、回転伝達機構それ自体か、または、回転伝達機構と中央回転体の回転出力部との間かの少なくとも何れか一カ所に設けられたものとしなければならず、後述する実施例にも示すように、回転伝達機構と中央回転体の回転出力部との間に配され、爪車部と１個または複数個の何れか一方の係合爪との組み合わせからなる外歯爪車とすることができる外、例えば、内歯爪車、摩擦爪車、フリーホイール、ラチェット、ワンウェイクラッチ、カム式・ワンウェイクラッチ（カムクラッチ）、スプラグ式・ワンウェイクラッチ、バックトルクリミッター、スリッパークラッチ、スライダークラッチなどの何れかの機構からなるものとすることが可能である。
【００２２】
中央回転体は、回転伝達機構から入力される仮想軸心周りの正転方向の回転力を受けて、仮想軸心周りの正転方向に回転されると共に、回転伝達機構から入力された回転力の一部を、外部出力する回転出力部に伝達し、回転伝達機構から入力された回転力のその他の一部を蓄えると共に、回転伝達機構から入力された回転力のその他の一部を回転力蓄積体の先端環状カバーに伝達する機能を分担し、主軸の両端間中央寄りに回転自在に装着された回転出力部と、回転出力部の仮想軸心方向の先端がわに設けられ、中央爪冠部が一体化された筒軸部と、筒軸部の外壁に内端が結合され、仮想軸心周りに巻かれた内端巻き渦巻きバネと、内端巻き渦巻きバネの外端に結合された中央環状カバーとを有するものとすべきである。
【００２３】
回転出力部は、回転伝達機構、回転力蓄積体および中央回転体それ自体から伝達された仮想軸心周りの正転方向の回転力を、この発明の回転駆動力補助装置の外部に出力する機能を担うものであり、外部に回転力を出力可能なものとしなければならず、例えば、歯車、スプロケットとチェーン、ベルト車と無端ベルト、プーリと無端ベルトなどの何れかとすることができ、従動がわとなる歯車、スプロケット、ベルト車またはプーリなどの何れかの軸が、フレームの外がわに延伸されたものとすることができる外、該回転出力部の出力がわ（従動がわ）となる歯車、スプロケット、ベルト車またはプーリなどの何れかがフレームの出力用の開口部の外がわに配されたものとすることが可能であり、後述する実施例にも示しているように、回転出力部と回転伝達機構との間に逆転防止機構が介在され、回転出力部としての出力プーリに対し、フレームの出力用の開口部を通じて外部から挿通された無端ベルトが、オープンベルト状、または、クロスベルト状の何れか一方の状態に巻き掛けられたものとすることができる。
【００２４】
回転出力部の装着筒部は、中央回転体の全体を主軸の仮想軸心に沿う長さ方向に充分な筒長を確保し、仮想軸心に対して倒れを生じることなく、仮想軸心周りに安定した回転を維持可能とする機能を担っており、装着筒部の仮想軸心方向に長い軸受け部分を確保するか、または、装着筒部の仮想軸心方向の両端付近の夫々に少なくとも対をなす軸受け部分を有するものとするのが望ましく、回転出力部の装着筒部のみに留まらず、この発明の回転駆動力補助装置の各所に配された軸受は、鋳鉄製、黄銅製、青銅製などのオイルリング固定軸受、青銅軸受メタル、ホワイトメタルを裏張りした軸受メタル、円筒形焼結含油軸受、また、ラジアル玉軸受、ラジアルころ軸受、スラスト玉軸受、スラストころ軸受などの転がり軸受、より具体的に示すと、単列ラジアル玉軸受、マグネト形玉軸受、複列アンギュラコンタクト玉軸受、複列自動調心玉軸受、単列円筒ころ軸受、単列円錐ころ軸受、複列自動調心軸受、単列針状ころ軸受、単式スラスト玉軸受、複列調心座形スラスト玉軸受、単式スラスト自動調心ころ軸受などとすることが可能である。
【００２５】
中央回転体の筒軸部は、回転伝達機構から回転出力部に入力された仮想軸心周りの正転方向の回転力を受けて回転し、その回転力の一部を内端巻き渦巻きバネの内端を仮想軸心周りの正転方向の巻き締め力として内端巻き渦巻きバネに伝達し、また、内端巻き渦巻きバネの内端の解放復帰力による仮想軸心周りの正転方向の回転力を受け、さらに、回転力蓄積体の進退筒の外端巻き渦巻きバネの解放復帰力による仮想軸心周りの正回転方向の回転力を受け、回転出力部の仮想軸心周りの正転方向の回転を加速可能とする機能を担うものであり、回転出力部の仮想軸心の軸心方向の先端がわに設けられ、仮想軸心の軸心方向の先端に中央爪冠部が一体化され、外壁に、仮想軸心周りに巻かれた内端巻き渦巻きバネの内端が結合されたものとすべきである。
【００２６】
筒軸部の中央爪冠部は、回転力蓄積体の基端爪冠部に噛合および離脱可能となり、回転力蓄積体の基端爪冠部と噛合した場合に、回転力蓄積体の基端爪冠部からの仮想軸心周りの正転方向の回転入力を受け、また、回転慣性ウェイトが設けられたものの場合には、回転慣性ウェイトの仮想軸心周りの正転方向の慣性エネルギーを受け、それらの正転方向の回転力を直接的に回転出力部に伝達する機能を担うものとされ、中央爪冠部と基端爪冠部との組み合わせ構造は、筒軸部の仮想軸心の軸心方向の先端と、回転力蓄積体の進退筒の仮想軸心の軸心方向の基端との間に設けられた、接合および離脱可能な摩擦板を有するクラッチ機構と、それら摩擦板の少なくとも何れか一方に設けられ、前述の逆転防止機構と同様の構造であって、仮想軸心周りの正転方向の回転のみを伝達する逆転防止機構との組み合わせからなるものとすることが可能である外、後述する実施例にも示しているように、回転力蓄積体の基端爪冠部に噛合した場合に、基端爪冠部の垂辺に対し、仮想軸心周りの正転方向に噛合する垂辺、および、仮想軸心周りの正転方向とは逆向きの逆転方向に滑ると共に、仮想軸心周りの逆転方向の回転力を受けると仮想軸心方向の先端に向けたベクトルを生ずる傾斜角度（仮想軸心周りの正転方向に向かうに従い、仮想軸心の軸心方向の基端がわに近づく傾斜角度）に設定された傾斜辺が回転方向に交互に配され、垂辺の仮想軸心の軸心方向の長さが、傾斜辺の仮想軸心の軸心方向の長さに一致され、仮想軸心周りの等角度間隔毎に順次交互に配されたものとすることができ、より具体的には、傾斜辺と垂辺とを有する爪が、仮想軸心周りの３６０°に１個か、または、傾斜辺と垂辺とを有する爪が、仮想軸心周りの１８０°、１２０°、９０°、６０°、４５°、４０°、３６°、３０°、２４°２２．５°、２０°、１８°、１５°、１４．４°、１２°、１１．２５°、１０°、９°、８°、７．５°、７．２°、６°、５°、４．５°、３．７５°、３．６°、３°、２．８８°などの何れかの等角度間隔毎に１個、合計複数個が連続的に配されたものかの何れか一方のものとすることができる。
【００２７】
中央回転体の内端巻き渦巻きバネは、筒軸部と中央環状カバーとを連結し、筒軸部の仮想軸心周りの正転方向の回転力を内端巻き渦巻きバネの内端に受け、回転駆動源から入力された仮想軸心周りの正転方向の回転力の一部を巻き締めによって蓄積し、内端巻き渦巻きバネが完全に巻き締められた場合に、筒軸部の仮想軸心周りの正転方向の回転力を中央環状カバーに直接的に伝達するものとなり、さらに、回転駆動源からの入力が停止され、しかも外端巻き渦巻きバネに蓄積された仮想軸心周りの正転方向の回転エネルギーが回転出力部に供給され、外端巻き渦巻きバネが巻き解かれた場合に、内端巻き渦巻きバネの蓄積エネルギーを回転出力部に供給する機能を分担し、筒軸部の外周壁の周囲に対し、内端巻き渦巻きバネの内端が結合され、外端から内端に掛けて、筒軸部の外周壁の周囲に対し、仮想軸心周りの正転方向に巻き付き、しかも回転力蓄積体の外端巻き渦巻きバネとは逆巻きとなるよう巻き掛けられ、外端巻き渦巻きバネよりもバネ定数が小さく設定されたものとすべきである。
また、内端巻き渦巻きバネは、仮想軸心Ｃ周りの巻き付き長さが、外端巻き渦巻きバネの仮想軸心Ｃ周りの巻き付き長さよりも長く設定されたものとされ、外端巻き渦巻きバネの仮想軸心Ｃ周りの巻き付き長さよりも短く設定された場合や、外端巻き渦巻きバネの仮想軸心Ｃ周りの巻き付き長さと同じ長さに設定された場合に比較して、より多くの回転エネルギーを蓄積可能とされたものとするのが良い。
【００２８】
中央回転体の中央環状カバーは、内端巻き渦巻きバネの外周囲を包囲し、外巻き力伝達機構および自動進退機構が組み込まれたものとし、内端巻き渦巻きバネの外端に対して、より大きな遠心力（慣性力）を保持可能とする機能を分担し、筒軸部とは内端巻き渦巻きバネを介して間接的に一体化されたものとされ、より具体的には、内端巻き渦巻きバネの外端の外がわに配する、仮想軸心周りに同心円状（ドーナッツ状）の回転慣性ウェイトが設けられたものするのが望ましく、筒軸部の外周壁に対して、仮想軸心の軸心方向の先端がわまたは基端がわの少なくとも何れか一方端がわに軸受け機構を介在し、仮想軸心周りに回動自在に支持されたものとすることが可能であり、後述する実施例にも示しているが、回転慣性ウェイトの仮想軸心の軸心方向の両端の夫々に、外径が回転慣性ウェイトの外径に一致し、内径が筒軸部の外径よりも僅かに大きく設定された環状の格納壁が、内端巻き渦巻きバネの外端から先端近傍までを包囲する如く設けられたものとするのが良い。
【００２９】
回転力蓄積体は、中央回転体から伝達される仮想軸心周りの正転方向の回転力を外端巻き渦巻きバネに蓄積し、内端巻き渦巻きバネおよび外端巻き渦巻きバネが完全に巻き締められ、回転出力部（筒軸部）の回転が高速となり、回転駆動源からの仮想軸心周りの正転方向の回転力の入力が絶たれた場合に、蓄積された仮想軸心周りの正転方向の回転力を中央回転体の筒軸部を通じて伝達し、回転出力部の仮想軸心周りの正転方向の回転を加速する機能を担うものであり、後述する実施例にも示しているように、主軸の固定筒軸と中央回転体との間となる中途位置の周囲に対し、進退筒が回帰規制機構を介して、主軸に沿って仮想軸心の軸心方向に進退自在且つ仮想軸心周りの正転方向に回転自在に装着され、進退筒の仮想軸心方向の基端に基端爪冠部が一体化され、筒状体の仮想軸心方向の先端に先端爪冠部が一体化され、進退筒の外壁に、内端巻き渦巻きバネとは逆向きに巻かれると共に、内端巻き渦巻きバネよりも強い弾発力を有する外端巻き渦巻きバネの内端が結合され、外端巻き渦巻きバネの外端に先端環状カバーが結合されたものとすべきである。
【００３０】
回転力蓄積体の進退筒は、主軸に対して回転力蓄積体を、主軸の仮想軸心の軸心方向の先端に配された固定筒軸と、主軸の仮想軸心の軸心方向の両端間中央寄りに回転自在に装着された中央回転体の筒軸部との間で、仮想軸心の軸心方向に進退移動自在、且つ、仮想軸心周りに回転自在に支持すると共に、仮想軸心の軸心方向の固定筒軸がわ寄りに設定された進限位置に移動すると、固定筒軸の仮想軸心の軸心方向の基端（固定筒爪冠部）に係合し、また、仮想軸心の軸心方向の中央回転体がわ寄りに設定された退限位置に移動すると、筒軸部の仮想軸心の軸心方向の先端（中央爪冠部）に係合し、進退筒の外周がわに、外端巻き渦巻きバネの内端を一体的に支持する機能を分担するものであり、主軸の外周囲に対し、回帰規制機構を介して仮想軸心上に回転自在、かつ仮想軸心の軸心方向の回帰規制機構が規制する進限位置と退限位置との間で節度感をもって進退自在となるよう装着され、仮想軸心の軸心方向の先端には、回帰規制機構の進限位置で、固定筒軸の固定筒爪冠部に噛合可能な先端爪冠部が設けられ、仮想軸心の軸心方向の基端には、回帰規制機構の退限位置で、筒軸部の中央爪冠部に噛合可能な基端爪冠部が設けられたものとされ、進退筒の仮想軸心の軸心方向の長さは、回帰規制機構の進限位置で、固定筒軸の固定筒爪冠部に噛合し、回帰規制機構の退限位置で、筒軸部の中央爪冠部に噛合する寸法に設定され、互いに噛合する固定筒爪冠部および先端爪冠部は、互いに同一直径に設定されたものとし、また、互いに噛合する中央爪冠部および基端爪冠部は、互いに同一直径に設定されたものとすべきである。
【００３１】
回帰規制機構は、主軸の固定筒軸と中央回転体との間となる中途位置の周囲に対し、進退筒が、仮想軸心周りに回転自在、且つ、仮想軸心の軸心方向の回帰規制機構の進限位置で、固定筒軸（固定筒爪冠部）に係合し、仮想軸心の軸心方向の回帰規制機構の退限位置で、筒軸部（中央爪冠部）に係合する位置に節度感を持って支持可能とする機能を担い、後述する実施例にも示すように、主軸の外周壁の進限位置に刻設された環状の進限規制溝と、主軸の外周壁の退限位置に刻設された環状の退限規制溝と、進退筒内周壁の仮想軸心周りの９０°置きとなる４カ所から、求心方向に突出された案内筒部と、各案内筒部内に装着されたコイルスプリングと、進限規制溝と退限規制溝との間を、節度感をもって移動され、進限規制溝または退限規制溝の何れか一方に選択的に嵌合し、進限規制溝または退限規制溝の何れか一方と各コイルスプリングとの間に転動自在、および摺動自在に介在された球駒とからなるものとすることができる外、同様の機能を有する軸受やベアリングと置き換えることが可能である。
【００３２】
進退筒の先端爪冠部は、固定筒軸の固定筒爪冠部に噛合および離脱可能となり、固定筒軸の固定筒爪冠部に噛合した場合に、進退筒の仮想軸心周りの逆回転方向の回転を阻止し、仮想軸心周りの正回転方向の回転入力に対し、外端巻き渦巻きバネが巻き解かれた状態から、巻き上げられる間に渡って充分な摩擦を確保し、外端巻き渦巻きバネが完全に巻き締められた場合に、仮想軸心の軸心方向の基端に向けたベクトルを生じ、回転力蓄積体を、進退筒の先端爪冠部が、固定筒爪冠部から離脱されると共に、進退筒の基端爪冠部が、中央回転体の筒軸部の中央爪冠部に噛合する位置まで移動する機能を担い、後述する実施例にも示しているが、先端爪冠部は、仮想軸心周りの正転方向に対し、仮想軸心の軸心方向の基端がわへ傾斜し、外端巻き渦巻きバネが、完全に巻き締められるまで固定筒爪冠部との噛合が維持されるよう摩擦力を確保された傾斜辺と、仮想軸心周りの逆転方向に対し、垂直であって傾斜辺の仮想軸心の軸心方向の長さに一致された垂辺とが、仮想軸心周りの等角度間隔毎に順次交互に配されたものとすることができ、より具体的には、傾斜辺と垂辺とを有する爪が、仮想軸心周りの３６０°に１個か、または、傾斜辺と垂辺とを有する爪が、仮想軸心周りの１８０°、１２０°、９０°、６０°、４５°、４０°、３６°、３０°、２４°２２．５°、２０°、１８°、１５°、１４．４°、１２°、１１．２５°、１０°、９°、８°、７．５°、７．２°、６°、５°、４．５°、３．７５°、３．６°、３°、２．８８°などの何れかの等角度間隔毎に１個、合計複数個が連続的に配されたものかの何れか一方のものとすることができる。
【００３３】
進退筒の基端爪冠部は、中央回転体の筒軸部の中央爪冠部に噛合および離脱可能となり、中央回転体の筒軸部の中央爪冠部に噛合した場合に、進退筒の仮想軸心周りの逆回転方向の回転を阻止し、外端巻き渦巻きバネが巻き締められた状態から、巻き解かれるまでの間に渡り、正回転方向の回転力を筒軸部の中央爪冠部に伝達可能とするよう充分な摩擦を確保する機能を分担するものであり、後述する実施例にも示している通り、基端爪冠部は、仮想軸心の軸心方向に一致するよう垂直であって、中央爪冠部の垂辺に噛合し、進退筒の仮想軸心周りの正転方向の回転力を中央爪冠部に効率良く伝達可能とする形状とされた垂辺と、中央爪冠部の傾斜辺と噛合するよう仮想軸心周りの正転方向に向かうに従い、仮想軸心の軸心方向の基端がわへ傾斜された傾斜辺とを有する爪が、仮想軸心周りの３６０°に１個か、または、傾斜辺と垂辺とを有する爪が、仮想軸心周りの１８０°、１２０°、９０°、６０°、４５°、４０°、３６°、３０°、２４°２２．５°、２０°、１８°、１５°、１４．４°、１２°、１１．２５°、１０°、９°、８°、７．５°、７．２°、６°、５°、４．５°、３．７５°、３．６°、３°、２．８８°などの何れかの等角度間隔毎に１個、合計複数個が連続的に配されたものかの何れか一方のものとすることができる。
【００３４】
外端巻き渦巻きバネは、外端巻き渦巻きバネの外端から入力された仮想軸心周りの正回転方向の回転力を蓄積し、蓄積した回転エネルギーを、外端巻き渦巻きバネの内端から進退筒に対し、仮想軸心周りの正回転方向の回転力として供給する機能を担い、外端巻き渦巻きバネは、内端巻き渦巻きバネよりもバネ定数が大きく設定され、しかも、内端巻き渦巻きバネとは仮想軸心周りの逆回転方向の渦巻き形状のものとされたものとしなければならず、後述する実施例にも示す通り、より具体的には、回転力蓄積体の進退筒の先端爪冠部が、固定筒軸の固定筒爪冠部に噛合された場合に、中央回転体の仮想軸心周りの正回転方向の回転力が、外端巻き渦巻きバネの外端がわに伝達、入力され、外端巻き渦巻きバネの外端から巻き締められるものとなり、回転力蓄積体の先端爪冠部が、固定筒軸の固定筒爪冠部から離脱され、進退筒の基端爪冠部が、中央回転体の筒軸部の中央爪冠部に噛合された場合に、外端巻き渦巻きバネの巻き解きによる仮想軸心周りの正転方向の回転力が、外端巻き渦巻きバネの先端から進退筒を介して筒軸部に伝達、入力するものとすべきである。
【００３５】
回転力蓄積体の先端環状カバーは、外端巻き渦巻きバネの外周囲を包囲し、中央回転体の中央環状カバーとの間に外巻き力伝達機構および自動進退機構の介在を可能とし、さらに、回転規制部の一部が一体化される機能を担っており、進退筒に対して外端巻き渦巻きバネを介して一体化され、進退筒に対し、外端巻き渦巻きバネの巻き締め方向と、巻き解き方向とに回動自在なものとされていなければならず、後述する実施例にも示すように、進退筒の外周に対し、先端環状カバーの、仮想軸心方向の先端がわと基端がわとが、夫々軸受け機構を介して仮想軸心周りに回転自在に支持されたものとすることができる。
【００３６】
回転規制部は、中央回転体の筒軸部の仮想軸心方向の先端の中央爪冠部に対し、回転力蓄積体の進退筒の基端の基端爪冠部が噛合された場合に、回転力蓄積体の先端環状カバーの仮想軸心周りの少なくとも正転方向の回転を規制する機能を担い、回転力蓄積体の先端環状カバーの外周囲壁とフレームとの間に設けられたものとすべきであり、後述する実施例にも示している通り、回転規制部は、回転力蓄積体の先端環状カバーに設けられた制動凸部と、フレームに設けられた制動バーとからなり、固定筒爪冠部に先端爪冠部が噛合された場合に、制動バーが制動凸部から外れ、先端環状カバーが、仮想軸心周りの少なくとも正転方向に回転自在となり、また、中央爪冠部に基端爪冠部が噛合された場合に、制動バーが制動凸部に係合され、先端環状カバーが、仮想軸心周りの少なくとも正転方向に回転不能となるよう規制されるよう設定されたものとするのが良い。
【００３７】
自動進退機構は、中央回転体の中央環状カバーに加わる仮想軸心周りの正転方向の回転力によって生じる遠心力が大きくなると、回転力蓄積体を、進退筒の基端爪冠部が、中央回転体の筒軸部の中央爪冠部に噛合するよう、回帰規制機構の仮想軸心の軸心方向の退限位置まで自動的に移動し、遠心力が小さくなると、回転力蓄積体を進退筒の先端爪冠部が、固定筒軸の固定筒爪冠部に噛合するよう、回帰規制機構の仮想軸心の軸心方向の進限位置まで自動的に移動する機能を担うものであり、また、外巻き力伝達機構は、自動進退機構による回転力蓄積体の仮想軸心の軸心方向の進退動に拘わらず、中央回転体の中央環状カバーの、仮想軸心周りの正転方向の回転力を、回転力蓄積体の先端環状カバーに伝達し、外端巻き渦巻きバネを、外端巻き渦巻きバネの外端より巻き締め可能とする機能を分担するものであり、後述する実施例にも示しているように、スライド棒および案内穴を有する案内レール部からなる外巻き力伝達機構と、案内溝、求心バネ、球駒、支柱およびレバーからなる自動進退機構とが、一体化された継ぎ手状の部品（自動進退・外巻き力伝達機構）からなるものとすることが可能である外、後述する実施例には示していないが、中央環状カバーと先端環状カバーとの間に、自動進退機構および外巻き力伝達機構が設けられ、自動進退機構はたは外巻き力伝達機構の少なくとも何れか一方と、中央環状カバーまたは先端環状カバーの少なくとも何れか一方との間に、仮想軸心周りの正転方向のみの回転力を伝達し、仮想軸心周りの逆転方向の回転力を伝達せず空転する逆転防止機構が組み込まれたものとすることが可能である。
以下では、図面に示すこの発明を代表する実施例と共に、その構造について詳述することとする。                                                                                                
【図面の簡単な説明】
【００３８】
図面は、この発明の回転駆動力補助装置の技術的思想を具現化した代表的な幾つかの実施例を示すものである。
【図１】低回転または停止中の回転駆動力補助装置を一部断面化して示す正面図である。
【図２】高速回転中の回転駆動力補助装置を一部断面化して示す正面図である。
【図３】回転伝達機構を示す平面図である。
【図４】回転伝達機構を一部断面化して示す正面図である。
【図５】回転伝達機構を示す底面図である。
【図６】中央回転体を一部断面化して示す正面図である。
【図７】図６中のＡ−Ａ断面を示す断面図である。
【図８】中央回転体を示す平面図である。
【図９】中央回転体を示す底面図である。
【図１０】回転力蓄積体を一部断面化して示す正面図である。
【図１１】図１０中のＢ−Ｂ断面を示す断面図である。
【図１２】回転力蓄積体を示す平面図である。
【図１３】回転力蓄積体を示す底面図である。
【図１４】低回転または停止中の回転駆動力補助装置の変形例を示す正面図である。
【図１５】高速回転中の回転駆動力補助装置の変形例を示す正面図である。
【実施例１】
【００３９】
図１ないし図１３に示す事例は、主軸２の基端Ｃ１が仮想軸心Ｃ上に配するようフレーム３に固定され、固定筒爪冠部４０を有する固定筒軸４が、主軸２の先端Ｃ０に設けられ、主軸２の基端Ｃ１に、回転駆動源Ｍから回転力を受ける回転伝達機構Ｐが装着され、回転伝達機構Ｐとの間に逆転防止機構Ｒが介在された回転出力部Ｐ３が、主軸２に回転自在に装着され、中央爪冠部５１が一体化された筒軸部５０、内端巻き渦巻きバネＳ１、中央環状カバー６を有する中央回転体５が、回転出力部Ｐ３の仮想軸心Ｃ方向の先端Ｃ０がわに設けられ、進退筒９０、回帰規制機構９１、基端爪冠部９７、先端爪冠部９８、外端巻き渦巻きバネＳ２および先端環状カバー９９が結合された回転力蓄積体９が、主軸２の固定筒軸４と中央回転体５との間に設けられ、中央環状カバー６の仮想軸心Ｃ方向の先端Ｃ０がわと、回転力蓄積体９の仮想軸心Ｃ方向の基端Ｃ１がわとの間に、自動進退機構７および外巻き力伝達機構８が設けられ、中央回転体５の中央爪冠部５１に対し、回転力蓄積体９の基端爪冠部９７が噛合された場合に、回転力蓄積体９の少なくとも正転方向Ｃ２の回転を規制する回転規制部Ｅが設けられた、この発明の回転駆動力補助装置における代表的な一実施例を示すものである。
【００４０】
それら各図からも明確に把握できるとおり、この発明の回転駆動力補助装置１は、主軸２が、仮想軸心Ｃ上に配されるよう、主軸２の基端Ｃ１と先端Ｃ０とが、少なくとも対峙する２枚の壁を有する筐体か、または、箱型枠かの何れか一方に形成されたフレーム３の対峙する二つの内壁の中央間に掛け渡されるよう固定され、主軸２の先端Ｃ０の周囲に、仮想軸心Ｃ上の配置となる固定筒軸４が設けられ、固定筒軸４の主軸２の仮想軸心Ｃの軸心方向の基端Ｃ１がわに向けられた端に、仮想軸心Ｃ周りの正転方向Ｃ２に対して、仮想軸心Ｃの軸心方向の基端Ｃ１がわへ向けて傾斜し、外端巻き渦巻きバネＳ２が、完全に巻き締められるまで先端爪冠部９８との噛合が維持されるよう摩擦力を確保された傾斜辺Ｄと、仮想軸心Ｃ周りの逆転方向に対し、垂直であって傾斜辺Ｄの仮想軸心Ｃの軸心方向の長さに一致された垂辺Ｖとが、仮想軸心Ｃ周りの９０°毎に順次交互に配され、合計４枚の爪を有する固定筒爪冠部４０が一体化され、回転駆動源ＭとしてのモーターＭが、モーターＭの駆動軸Ｍ０を、仮想軸心Ｃに平行する姿勢とするよう、主軸２の近傍となるフレーム３に固定され、主軸２の仮想軸心Ｃの軸心方向の基端Ｃ１と、モーターＭの駆動軸Ｍ０との間に回転伝達機構Ｐが装着され、回転伝達機構Ｐは、モーターＭの駆動軸Ｍ０に設けられた駆動プーリＰ１、主軸２の仮想軸心Ｃの軸心方向の基端Ｃ１に軸受け機構ＢＲを介して設けられた従動プーリＰ２、および、それら駆動プーリＰ１と従動プーリＰ２とにオープンベルト状に巻き掛けられた無端ベルトＢとを有するものとされ、モーターＭの駆動プーリＰ１から従動プーリＰ２に、仮想軸心Ｃ周りの正転方向Ｃ２の回転力が伝達されるものとされている。
【００４１】
主軸２の仮想軸心Ｃの軸心方向の両端Ｃ０，Ｃ１間の中央寄りとなる中途位置には、中央回転体５が回転自在に装着されており、中央回転体５と回転伝達機構Ｐの従動プーリＰ２との間には、図３、図４および図９に示されるように、中央回転体５か、回転伝達機構Ｐの従動プーリＰ２かの何れか一方に複数の鈎爪が、仮想軸心Ｃ周りに一周するよう配列された爪車部Ｒ０が設けられ、中央回転体５か、回転伝達機構Ｐの従動プーリＰ２かの何れか他方の、仮想軸心Ｃ周りの１カ所か、または、複数箇所かの何れか一方に板バネなどの弾性部材によって爪車部Ｒ０に噛合する方向に弾性付勢された係合爪Ｒ１が軸着され、それら爪車部Ｒ０と、仮想軸心Ｃ周りに１個、または、仮想軸心Ｃ周りに等角度間隔を隔てて配された複数個（例えば、図３に示すように、仮想軸心Ｃ周りの９０°毎に合計４カ所設けられた）の係合爪Ｒ１との組み合わせからなり、従動プーリＰ２の仮想軸心Ｃ周りの正転方向Ｃ２のみが、中央回転体５に伝達され、従動プーリＰ２の仮想軸心Ｃ周りの正転方向Ｃ２とは逆向きの回転が、中央回転体５に伝達されず、空転するものとされた逆転防止機構Ｒが介在されている。
【００４２】
中央回転体５は、仮想軸心Ｃ周りの正転方向Ｃ２のみの回転力を外部出力する回転出力部Ｐ３としての出力プーリＰ３を有し、出力プーリＰ３に対峙するフレーム３の側壁に、出力用の開口部３０が開口され、出力プーリＰ３には、フレーム３の外部から開口部３０を通じて挿通された図示しない無端ベルトが巻き掛けられ、外部に回転力を出力可能なものとされ、出力プーリＰ３の従動プーリＰ２がわとなる端部には、装着筒部Ｐ４が結合され、出力プーリＰ３および装着筒部Ｐ４の従動プーリＰ２がわとなる端部付近には、上下夫々軸受け機構ＢＲが組み込まれ、さらに、出力プーリＰ３の仮想軸心Ｃの軸心方向の先端Ｃ０がわには、仮想軸心Ｃ上に配され、進退筒９０と同じ直径および肉厚寸法とされた筒軸部５０の基端が一体化され、筒軸部５０の仮想軸心Ｃの軸心方向の先端Ｃ０がわの端部には、回転力蓄積体９の進退筒９０の基端爪冠部９７に噛合する合計４枚の爪を有する中央爪冠部５１が一体化されている。
【００４３】
中央爪冠部５１は、回転力蓄積体９の進退筒９０の外端巻き渦巻きバネＳ２が巻き解かれ、復帰による回転力を、回転力蓄積体９の進退筒９０の基端爪冠部９７の垂辺Ｖの仮想軸心Ｃ周りの正転方向の回転力を損失なく受ける垂辺Ｖと、仮想軸心Ｃ周りの逆転方向の回転力を逃がす傾斜辺Ｄとを有する合計４枚の爪が、仮想軸心Ｃ周りの９０°毎に垂辺Ｖと傾斜辺Ｄとが順次、交互に配されていて、各垂辺Ｖの仮想軸心Ｃの軸心方向の長さと、各傾斜辺Ｄの仮想軸心Ｃの軸心方向の長さとが一致するよう寸法設定されたものとなっている。
【００４４】
筒軸部５０の外壁には、内端巻き渦巻きバネＳ１の内端が結合され、内端巻き渦巻きバネＳ１は、筒軸部５０が、仮想軸心Ｃ周りの正転方向Ｃ２に回転された場合に、内端が巻き締められ、回転エネルギーを蓄積可能となる渦巻き形状に巻きかけられたものとされ、内端巻き渦巻きバネＳ１の外端には、内端巻き渦巻きバネＳ１の外周囲を包囲する環状の回転慣性ウェイト６０の内壁が結合され、環状の回転慣性ウェイト６０の仮想軸心Ｃの軸心方向の両端に夫々環板状の格納壁６１，６１が結合され、各格納壁６１，６１の内周縁は、筒軸部５０の外壁との間に僅かな環状の隙間を隔てて対峙するよう配され、それら回転慣性ウェイト６０および各格納壁６１，６１の組み合わせによって中央環状カバー６が設けられたものとされている。
【００４５】
図１、図２、図６、図８および図１０に示すように、中央環状カバー６の仮想軸心Ｃの軸心方向の先端Ｃ０がわに設けられた自動進退機構７および外巻き力伝達機構８は、互いが一体化された部品として、中央環状カバー６の仮想軸心Ｃ周りの等角度間隔置きとなる複数箇所、例えば、図８に示されるように、仮想軸心Ｃ周りの９０°置き毎の合計４カ所に配され、その中の１個について示し、その他の同一部品の説明を省略して示すと、仮想軸心Ｃの求心方向に向け、仮想軸心Ｃ方向の基端Ｃ１がわに傾斜された案内溝７０の遠心がわに、先端が仮想軸心Ｃの求心方向に向けられ、仮想軸心Ｃ方向の基端Ｃ１がわに傾斜する姿勢とされたコイルバネ製の求心バネ７１が、その先端に球駒７２を有するものとして設けられ、求心バネ７１は、中央環状カバー６の高速回転に伴って発生する遠心力を受けると、球駒７２の遠心力によって圧縮され、中央環状カバー６が低速回転になると、球駒７２に加わる遠心力が弱まり、求心バネ７１が元の状態に復帰し、球駒７２が求心がわに押圧、移動されるものとなっており、案内溝７０の、仮想軸心Ｃの求心がわに向けて近接されたがわの端部には、支柱７３が立設され、支柱７３の上端には、遊端が遠心方向に向けられたレバー７４の基端が、レバー７４の遊端を仮想軸心の両端Ｃ０，Ｃ１方向に揺動自在とするよう軸着され、レバー７４の下辺が、球駒７２に支持され、レバー７４の中途部が、支柱７３に突設された制限凸部７５，７５に係合され、レバー７４の遊端の仮想軸心の両端Ｃ０，Ｃ１方向の揺動範囲が夫々規制されたものとなっており、レバー７４の遊端に設けられたスライド棒８０が、図１０に示すように、後述する回転力蓄積体９の先端環状カバー９９の中央回転体５に対峙するがわの壁面の遠心がわに一体化され、回転力蓄積体９の直径方向に長いスリット状の案内穴８２，８２を有する案内レール対８１の間に、案内穴８２，８２の間に差し渡された状態に、回転力蓄積体９の直径方向にスライド自在に連結され、これらスライド棒８０、案内レール部８１、案内穴８２、案内溝７０、求心バネ７１、球駒７２、支柱７３およびレバー７４の組み合わせによって外巻き力伝達機構８および自動進退機構７を兼ね備えた自動進退・外巻き力伝達機構７（８）とされたものとされている。
【００４６】
図１、図２および図１０ないし図１３に示すように、回転力蓄積体９は、主軸２の固定筒軸４と中央回転体５との間となる中途位置の周囲に対し、仮想軸心Ｃ上に配され、固定筒軸４および筒軸部５０と同じ直径および肉厚寸法とされた進退筒９０が、仮想軸心Ｃの軸心方向の進退範囲を、節度感をもって規制可能な回帰規制機構９１を介在して回転自在に装着され、回帰規制機構９１は、進退筒９０の内側に対峙する主軸２の外周壁の仮想軸心Ｃの軸心方向の両端がわに十分な間隔を隔てた２カ所に刻設された進限規制溝９２，９２、および、それら進限規制溝９２，９２から進退筒９０の仮想軸心Ｃの軸心方向の基端がわに進退移動距離を隔てて刻設された退限規制溝９３，９３を有し、進退筒９０の内壁の仮想軸心Ｃの軸心方向の先端Ｃ０寄りとなる進退移動の進限位置で、進限規制溝９２，９２に対峙し、仮想軸心Ｃの軸心方向の基端Ｃ１寄りとなる進退移動の退限位置で、退限規制溝９３，９３に対峙する位置であって、仮想軸心Ｃ周りに等角度間隔を隔てた３カ所以上の複数箇所、例えば９０°毎の合計４カ所に、案内筒部９４，９４，……が求心方向に突出され、案内筒部９４，９４，……内には、夫々コイルスプリング９５，９５，……が伸縮自在に装着され、進限規制溝９２，９２または退限規制溝９３，９３の何れか選択された一方と、各コイルスプリング９５，９５，……の求心がわ端との間に球駒９６，９６，……が、転動自在、および摺動自在に介在されたものとなり、進退筒９０が、仮想軸心Ｃの軸心方向の進退範囲の進限位置にある場合に、進限規制溝９２，９２に、球駒９６，９６，……が転動および摺動自在に嵌合され、また、進退筒９０が、仮想軸心Ｃの軸心方向の進退範囲の退限位置にある場合に、退限規制溝９３，９３に、球駒９６，９６，……が転動および摺動自在に嵌合されるものとなっている。
【００４７】
進退筒９０の内周壁には、仮想軸心Ｃの軸心方向の回帰規制機構９１よりも先端Ｃ０がわと、基端Ｃ１がわとの双方の端部よりの箇所に、主軸２の外周壁に対して、仮想軸心Ｃ周りに回転自在、且つ、仮想軸心Ｃの軸心方向に進退自在に支持する、両端がわで一対をなす滑り軸受ＳＢ，ＳＢが、進退筒９０の内周壁に対して締まり嵌め、またはネジ結合などの何れかの構造によって、一体化されたものとなっている。
また、進退筒９０の仮想軸心Ｃの軸心方向の基端Ｃ１がわの端には、中央回転体５の中央爪冠部５１に噛合する形状であって、進退筒９０が、仮想軸心Ｃ周りの正転方向Ｃ２に回転された場合に、中央爪冠部５１と噛合する形状とされ、進退筒９０が、仮想軸心Ｃ周りの正転方向Ｃ２とは逆向きに逆転した場合に、中央爪冠部５１との間で滑り、空転するものとなる基端爪冠部９７が一体化され、基端爪冠部９７は、仮想軸心Ｃの軸心方向に平行とされ、中央爪冠部５１の垂辺Ｖ，Ｖ，……に噛合し、仮想軸心Ｃ周りの正転方向Ｃ２の回転力を損失なく伝達可能な垂辺Ｖ，Ｖ，……と、仮想軸心Ｃ周りの正転方向Ｃ２に向けて仮想軸心Ｃの軸心方向の基端Ｃ１に向けて下る勾配を有し、仮想軸心Ｃ周りの逆転方向の回転力を逃がす傾斜辺Ｄ，Ｄ，……とが、仮想軸心Ｃ周りの９０°毎に順次交互に配された合計４枚の爪を有し、各垂辺Ｖ，Ｖ，……と各傾斜辺Ｄ，Ｄ，……とは、互いの仮想軸心Ｃ方向の長さが一致された寸法設定とされたものとなっている。
【００４８】
進退筒９０の仮想軸心Ｃの軸心方向の先端Ｃ０がわとなる端には、固定筒軸４の固定筒爪冠部４０の傾斜辺Ｄに噛合し、内端巻き渦巻きバネＳ１および外端巻き渦巻きバネＳ２が完全に巻き締められるまで、固定筒軸４の固定筒爪冠部４０との噛合を維持する摩擦力を確保する形状であって、内端巻き渦巻きバネＳ１および外端巻き渦巻きバネＳ２が完全に巻き締められた上、さらに、進退筒９０の仮想軸心Ｃ周りの正転方向の回転数が高まると、固定筒爪冠部４０との間で進退筒９０を、仮想軸心Ｃの軸心方向の基端Ｃ０に向けて移動する（自動進退・外巻き力伝達機構７（８）の、求心バネ７１，７１，……を強制的に圧縮し、レバー７４，７４，……の各遊端が、図２に示されるよう、仮想軸心Ｃの軸心方向の基端Ｃ１がわに倒されるよう）ベクトルを生じる傾斜辺Ｄ，Ｄ，……と、傾斜辺Ｄ，Ｄ，……の間に設けられた垂辺Ｖ，Ｖ，……とからなり、各垂辺Ｖ，Ｖ，……と各傾斜辺Ｄ，Ｄ，……とは、互いの仮想軸心Ｃ方向の長さが一致された寸法設定とされた先端爪冠部９８が設けられている。
この進退筒９０は、図１に示すように、進退筒９０が、仮想軸心Ｃ方向の先端Ｃ０がわに移動され、回帰規制機構９１が進限位置にある場合に、先端爪冠部９８が、固定筒軸４の固定筒爪冠部４０に噛合され、また、図２に示すように、進退筒９０が、仮想軸心Ｃ方向の基端Ｃ１がわに移動され、回帰規制機構９１が退限位置にある場合に、基端爪冠部９７が、中央回転体５の中央爪冠部５１に噛合するものとなっている。
【００４９】
進退筒９０の外壁に、内端巻き渦巻きバネＳ１とは逆向きとなる仮想軸心Ｃ周りに巻かれると共に、内端巻き渦巻きバネＳ１よりも強い弾発力（大きなバネ定数）を有するものとされた外端巻き渦巻きバネＳ２の内端が結合され、外端巻き渦巻きバネＳ２の外端に対し、外端巻き渦巻きバネＳ２の外周囲を包囲し、仮想軸心Ｃ方向の両端Ｃ０，Ｃ１がわが、夫々軸受け機構ＢＲ，ＢＲを介し、進退筒９０の外壁に対し、仮想軸心Ｃ周りに回転自在となるよう装着された先端環状カバー９９の内壁が結合され、外端巻き渦巻きバネＳ２は、先端環状カバー９９が、仮想軸心Ｃ周りの正転方向Ｃ２に回転された場合に、外端巻き渦巻きバネＳ２の外端が巻き締められ、回転エネルギーを蓄積可能となる渦巻き形状に巻きかけられたものとされ、先端環状カバー９９に対し、中央回転体５の自動進退機構７が、中央回転体５の自動進退機構７に加わる遠心力が弱い場合に、中央回転体５の筒軸部５０の仮想軸心Ｃの軸心方向の先端Ｃ０がわの中央爪冠部５１から、仮想軸心Ｃの軸心方向の基端Ｃ１がわの基端爪冠部９７が離脱されると共に、仮想軸心Ｃの軸心方向の先端Ｃ０がわの先端爪冠部９７が、固定筒軸４の仮想軸心Ｃ方向の端の固定筒爪冠部４０に噛合し、中央回転体５の自動進退機構７に加わる遠心力が強い場合に、固定筒軸４の仮想軸心Ｃの軸心方向の端の固定筒爪冠部４０から、仮想軸心Ｃの軸心方向の先端Ｃ０がわの、先端爪冠部９８が離脱されると共に、仮想軸心Ｃの軸心方向の基端Ｃ１がわの基端爪冠部９７が、中央回転体５の筒軸部５０の仮想軸心Ｃの軸心方向の先端Ｃ０がわの中央爪冠部５１に噛合するものとされた上、外巻き力伝達機構８が、自動進退機構７の進退作動状態に関わらず、中央回転体５の中央環状カバー６の仮想軸心Ｃ周りの正転方向Ｃ２の回転力を回転力蓄積体９の先端環状カバー９９に伝達するものとされている。
【００５０】
中央回転体５の筒軸部５０の仮想軸心Ｃの軸心方向の先端Ｃ０がわの中央爪冠部５１に対し、回転力蓄積体９の進退筒９０の仮想軸心Ｃの軸心方向の基端Ｃ１がわの基端爪冠部９７が噛合された場合に、回転力蓄積体９の先端環状カバー９９の仮想軸心Ｃ周りの少なくとも正転方向Ｃ２の回転を規制する回転規制部Ｅが設けられており、回転規制部Ｅは、回転力蓄積体９の先端環状カバー９９の外周囲壁に突設された制動凸部Ｅ０と、回転力蓄積体９が、仮想軸心Ｃの軸心方向の先端Ｃ０寄りとなる進限位置に配された場合に、制動凸部Ｅ０に対峙するフレーム３の内側壁に突設された制動バーＥ１とからなり、制動バーＥ１は、回転力蓄積体９が、仮想軸心Ｃの軸心方向の先端Ｃ０寄りとなる進限位置に配された場合にのみ制動凸部Ｅ０に係合し、主軸２に対する先端環状カバー９９の、仮想軸心Ｃ周りの少なくとも正転方向Ｃ２の回転動を制動し、外端巻き渦巻きバネＳ２に蓄積された巻き締めエネルギーが、進退筒９０を介して中央回転体５の筒軸部５０に仮想軸心Ｃ周りの正転方向Ｃ２の回転エネルギーとして伝達された後か、または、回転力蓄積体９が、仮想軸心Ｃの軸心方向の基端Ｃ１寄りとなる退限位置に配された場合には、制動凸部Ｅ０が、制動バーＥ１から外れ、外巻き力伝達機構８による先端環状カバー９９の回転、および、外端巻き渦巻きバネＳ２への回転力の蓄積を可能なものとするようになっている。
【００５１】
そして、図１および図２に示してあるように、回転駆動源Ｍには、回転駆動源ＭとしてのモーターＭの回転数を制御する自動制御部Ｍ１と、回転出力部Ｐ３としての出力プーリＰ３の出力回転数を検出し、検出した出力回転数を自動制御部Ｍ１に送信する回転数センサＭ２と、自動制御部Ｍ１に搭載され、回転数センサＭ２からの出力回転数の検出値に基づき、モーターＭの回転数を自動制御可能とするソフトウェアＭ３とを有するものとなっている。
【００５２】
図１４および図１５に示すように、この発明の回転駆動力補助装置１は、自動進退機構７および外巻き力伝達機構８の一部構造が変更されたものとすることが可能であり、中央環状カバー６の仮想軸心Ｃ周りの等角度間隔置きとなる複数箇所、例えば、仮想軸心Ｃ周りの９０°置き毎の合計４カ所に配され、その中の１個についてのみ示すと、仮想軸心Ｃの求心方向に向け、仮想軸心Ｃ方向の基端Ｃ１がわに傾斜された案内溝７０の遠心がわに、先端が仮想軸心Ｃの求心方向に向けられ、仮想軸心Ｃの軸心方向の基端Ｃ１がわに傾斜する姿勢とされたコイルバネ製の求心バネ７１が、その先端に球駒７２を有して設けられ、求心バネ７１は、中央環状カバー６の高速回転に伴って発生する遠心力を受けると、球駒７２の遠心力によって圧縮され、中央環状カバー６が低速回転になると、球駒７２に加わる遠心力が弱まり、求心バネ７１が元の状態に復帰し、球駒７２が仮想軸心Ｃの求心がわに押圧、移動されるものとなっており、案内溝７０の、仮想軸心Ｃの求心がわに向けて近接されたがわの端部には、支柱７３が立設され、支柱７３の上端には、仮想軸心Ｃの遠心方向に遊端が向けられたレバー７４の、仮想軸心Ｃの求心方向がわに向けられた基端が、レバー７４の遊端を仮想軸心の両端Ｃ０，Ｃ１方向に揺動自在となるよう軸着され、レバー７４の下辺が、球駒７２に支持され、レバー７４の中途部が、支柱７３に突設された制限凸部７５，７５に係合され、レバー７４の遊端の揺動範囲が規制されたものとなっており、レバー７４の遊端が、先端環状カバー９９の中央回転体５に対峙するがわの壁面の遠心がわに一体化され、回転力蓄積体９の直径方向に平行する２本が一対となる凸条の案内レール対からなる溝状レール部８１に対し、求心バネ７１および球駒７２の弾性押圧力によって押し当てられるよう、回転力蓄積体９の直径方向にスライド自在に係合され、これら案内溝７０、求心バネ７１、球駒７２、支柱７３、レバー７４および溝状レール部８１の組み合わせによって自動進退機構７および外巻き力伝達機構８を兼ね備えた自動進退・外巻き力伝達機構７（８）とされたものとすることが可能である。
【００５３】
（実施例１の作用・効果）
以上のとおり、図１ないし図１３に示す構成からなるこの発明の回転駆動力補助装置１は、図１に示すように、回転駆動源Ｍ、回転伝達機構Ｐ、中央回転体５および回転力蓄積体９の回転が全て停止した状態にあっては、自動進退機構７および外巻き力伝達機構８の機能を兼ね備えた自動進退・外巻き力伝達機構７（８）が、中央回転体５に対し、回転力蓄積体９を仮想軸心Ｃの軸心方向の先端Ｃ０がわに配置されるよう、回帰規制機構９１の球駒９６，９６が、進限規制溝９２，９２に嵌合する進限位置に移動された状態に支持し、回帰規制機構９１が進限位置にある場合、回転力蓄積体９の進退筒９０の先端爪冠部９８が、固定筒軸４の固定筒爪冠部４０に噛合され、しかも回転規制部Ｅの制動凸部Ｅ０は、制動バーＥ１から外れて係合せず、回転力蓄積体９の先端環状カバー９９は、仮想軸心Ｃ周りの少なくとも正転方向Ｃ２に回動自在となっている。
【００５４】
図１に示す停止状態から、回転駆動力補助装置１の電源を投入すると、自動制御部Ｍ１が、ソフトウェアＭ３に従い、回転駆動源ＭであるモーターＭを起動し、モーターＭの駆動軸Ｍ０および回転伝達機構Ｐの駆動プーリＰ１が回転駆動し、その回転駆動力が、回転伝達機構Ｐの無端ベルトＢおよび従動プーリＰ２を通じ、しかも図３、図４図６および図９に示す、逆転防止機構Ｒの爪車部Ｒ０，Ｒ０，……および係合爪Ｒ１，Ｒ１，……を介し、中央回転体５の装着筒部Ｐ４および回転出力部Ｐ３としての出力プーリＰ３に対し、仮想軸心Ｃ周りの正転方向Ｃ２のみの回転力が伝達されることとなり、モーターＭおよび回転伝達機構Ｐが停止した場合も、逆転防止機構Ｒの働きによって、中央回転体５の装着筒部Ｐ４および回転出力部Ｐ３は、仮想軸心Ｃ周りの正転方向Ｃ２の回転を円滑に継続できるものとなっており、モーターＭからの回転入力によって、中央回転体５の装着筒部Ｐ４、回転出力部Ｐ３および筒軸部５０が、仮想軸心Ｃ周りの正転方向Ｃ２に回転されると、筒軸部５０の外周壁に内端が結合された内端巻き渦巻きバネＳ１の内端が、仮想軸心Ｃ周りの正転方向Ｃ２に巻き締められ、次第に内端巻き渦巻きバネＳ１が完全に巻き締められることとなる。
【００５５】
回転力蓄積体９の進退筒９０の先端爪冠部９８が、固定筒軸４の固定筒爪冠部４０に対して仮想軸心Ｃ周りに回転しないよう、噛合されている状態にあって、内端巻き渦巻きバネＳ１が完全に巻き締められると、中央環状カバー６から自動進退・外巻き力伝達機構７（８）を介して仮想軸心Ｃ周りの正転方向Ｃ２の回動力を受けた先端環状カバー９９が、進退筒９０に対して仮想軸心Ｃ周りの正転方向Ｃ２に回動され、内端が進退筒９０の外周壁に固定状された外端巻き渦巻きバネＳ２の外端が巻き締められることとなり、内端巻き渦巻きバネＳ１および外端巻き渦巻きバネＳ２は、互いのバネ定数の違いによって内端巻き渦巻きバネＳ１が先に巻き締められ、その後に外端巻き渦巻きバネＳ２が巻き締められ、さらに、仮想軸心Ｃ周りの巻き方向の違いによって内端巻き渦巻きバネＳ１は、内端がわから巻き締められ、外端巻き渦巻きバネＳ２が外端がわから巻き締められることとなる。
【００５６】
内端巻き渦巻きバネＳ１および外端巻き渦巻きバネＳ２が、夫々完全に巻き締められると、回転慣性ウェイト６０の大きな慣性力が安定的に増大するよう、中央回転体５、および、中央回転体５に対し、自動進退・外巻き力伝達機構７（８）を介して接続された回転力蓄積体９が、さらに仮想軸心Ｃ周りの正転方向Ｃ２に加速されることとなり、中央回転体５に一体となっている回転出力部Ｐ３としての出力プーリＰ３も高速回転状態となり、回転数センサＭ２を通じて出力プーリＰ３が高回転状態に達したことを感知した自動制御部Ｍ１は、モーターＭへの電力供給を停止するよう自動制御する。
【００５７】
モーターＭが停止された状態にあっても、回転慣性ウェイト６０の慣性力によって回転し続ける中央環状カバー６は、自動進退・外巻き力伝達機構７（８）を介して先端環状カバー９９に対し、仮想軸心Ｃ周りの正転方向Ｃ２の回転力を供給し続けることとなり、完全に巻き締められた外端巻き渦巻きバネＳ２は、先端環状カバー９９の仮想軸心Ｃ周りの正転方向Ｃ２の回転力を、固定筒軸４の固定筒爪冠部４０に噛合されている進退筒９０の先端爪冠部９８に伝達し、先端爪冠部９８の各傾斜辺Ｄ，Ｄ，……と、固定筒爪冠部４０の各傾斜辺Ｄ，Ｄ，……との間に、互いの傾斜辺Ｄ，Ｄ，……同士の摩擦力を超える回転力が働き、固定筒爪冠部４０の各傾斜辺Ｄ，Ｄ，……に対して先端爪冠部９８の各傾斜辺Ｄ，Ｄ，……が滑り出し、固定筒爪冠部４０の仮想軸心Ｃの軸心方向の基端Ｃ１に向かうベクトルを発生し、仮想軸心Ｃ軸心方向の基端Ｃ１に向かうベクトルを受けた進退筒９０が、固定筒爪冠部４０の仮想軸心Ｃの軸心方向の基端Ｃ１に向けて移動され、先端爪冠部９８が固定筒爪冠部４０から離脱され、図２に示すように、各自動進退・外巻き力伝達機構７（８）のレバー７４は、球駒７２を遠心方向に押圧し、求心バネ７１を圧縮しながら、各レバー７４の遊端がわが、仮想軸心Ｃの遠心がわに倒されることとなり、回転力蓄積体９の進退筒９０は、回帰規制機構９１の各球駒９６，９６，……が、進限位置の進限規制溝９２，９２から、退限位置の退限規制溝９３，９３，……に節度感を持って移動され、仮固定状且つ回転自在に支持され、基端爪冠部９７が中央回転体５の中央爪冠部５１に噛合される。
【００５８】
図２に示すように、基端爪冠部９７が中央回転体５の中央爪冠部５１に噛合されと、回転規制部Ｅの制動凸部Ｅ０が、制動バーＥ１に係合し、回転力蓄積体９の先端環状カバー９９の少なくとも仮想軸心Ｃ周りの正転方向Ｃ２の回転が阻止され、このように先端環状カバー９９の回転が停止されると、自動進退・外巻き力伝達機構７（８）を介して接続された中央環状カバー６も同様に、仮想軸心Ｃ周りの正転方向Ｃ２の回転が阻止され、先端環状カバー９９の内周壁に外端が結合された外端巻き渦巻きバネＳ２は、内端巻き渦巻きバネＳ１よりもバネ定数が大きいから、内端巻き渦巻きバネＳ１よりも強く巻き締め力を解放することとなり、外端巻き渦巻きバネＳ２の巻き締め解放による仮想軸心Ｃ周りの正転方向Ｃ２の復帰力を、外端巻き渦巻きバネＳ２の内端から、進退筒９０に伝達することなり、進退筒９０の仮想軸心Ｃ周りの正転方向Ｃ２の回転力は、進退筒９０の基端爪冠部９７から中央回転体５の中央爪冠部５１に伝達され、回転出力部Ｐ３としての出力プーリＰ３を仮想軸心Ｃ周りの正転方向Ｃ２に加速するものとなる。
【００５９】
こうして外端巻き渦巻きバネＳ２の巻き締め力の解放が始まると、進退筒９０の仮想軸心Ｃ周りの正転方向Ｃ２の回転力を受けた筒軸部５０の外周壁に内端が結合されている内端巻き渦巻きバネＳ１もまた、その巻き締めが解放されることとなり、内端巻き渦巻きバネＳ１の巻き締め力の解放による、仮想軸心Ｃ周りの正転方向Ｃ２の復帰力を、内端巻き渦巻きバネＳ１の内端から、筒軸部５０に伝達し、回転出力部Ｐ３としての出力プーリＰ３を仮想軸心Ｃ周りの正転方向Ｃ２に加速するものとなる。
したがって、モーターＭが停止された状態であっても、回転慣性ウェイト６０に蓄えられた仮想軸心Ｃ周りの正転方向Ｃ２の慣性力に加えて、外端巻き渦巻きバネＳ２の内端から供給される仮想軸心Ｃ周りの正転方向Ｃ２の復帰力、および、内端巻き渦巻きバネＳ１の内端から供給される仮想軸心Ｃ周りの正転方向Ｃ２の復帰力によって、回転出力部Ｐ３としての出力プーリＰ３を、モーターＭの停止中にあってもモーターＭが起動しているのと略同様の回転数に安定するよう維持するものとなる。
【００６０】
外端巻き渦巻きバネＳ２の内端、および、内端巻き渦巻きバネＳ１の内端から供給される仮想軸心Ｃ周りの正転方向Ｃ２の復帰力が弱まり、回転出力部Ｐ３としての出力プーリＰ３の回転数が僅かに低下してくると、各自動進退・外巻き力伝達機構７（８）に働く遠心力が弱まり、図１に示されるように、各求心バネ７１，７１，……が伸張復帰し、各球駒７２，７２，……が求心方向に移動され、各レバー７４，７４……の遊端が、仮想軸心Ｃの軸心方向の先端Ｃ０がわに動き、各求心バネ７１，７１，……の伸張復帰力が、各球駒７２，７２，……、各レバー７４，７４……、スライド棒８０，８０，……、案内穴８２，８２，……、案内レール部８１，８１，……を介し、回転力蓄積体９を、進退筒９０の先端爪冠部９８が、固定筒軸４の固定筒爪冠部４０に噛合する位置まで移動し、回帰規制機構９１の球駒９６，９６，……は、退限位置の退限規制溝９３，９３から、進限位置の進限規制溝９２，９２へ、コイルスプリング９５，９５，……の弾発力により、円滑に乗り越え移動され、進限位置の進限規制溝９２，９２に対して回転力蓄積体９の進退筒９０を回転自在に支持し、進退筒９０が、回帰規制機構９１の進限位置にある場合に、先端爪冠部９８は、固定筒軸４の固定筒爪冠部４０に噛合された状態を維持するものとなる。
【００６１】
このようにして、回転出力部Ｐ３としての出力プーリＰ３の回転数が僅かに低下すると、回転数センサＭ２を通じて出力プーリＰ３の回転数の低下を感知した自動制御部Ｍ１は、再びモーターＭへの電力供給を開始し、中央環状カバー６の回転慣性ウェイト６０に仮想軸心Ｃ周りの正転方向Ｃ２の慣性力を与え、前述のように内端巻き渦巻きバネＳ１および外端巻き渦巻きバネＳ２を再び巻き締め、それら内端巻き渦巻きバネＳ１および外端巻き渦巻きバネＳ２に、モーターＭから供給される仮想軸心Ｃ周りの正転方向Ｃ２の回転エネルギーを蓄積するものとなり、内端巻き渦巻きバネＳ１および外端巻き渦巻きバネＳ２が完全に巻き締められ、さらに高回転に達しようとすると、回転数センサＭ２を通じて回転出力部Ｐ３としての出力プーリＰ３の高速回転状態を感知した自動制御部Ｍ１は、モーターＭへの電力供給を停止し、前述したのと同様に、回転慣性ウェイト６０の慣性力、外端巻き渦巻きバネＳ２および内端巻き渦巻きバネＳ１に蓄積された回転エネルギーを、回転出力部Ｐ３としての出力プーリＰ３に向けて供給するという工程を自動的に繰り返すものとなっている。
【００６２】
図１４および図１５に示される、この発明の回転駆動力補助装置１の変形例は、先端環状カバー９９の中央回転体５に対峙するが壁面の遠心がわの、仮想軸心Ｃ周りの９０°置き毎の位置に一体化され、回転力蓄積体９の直径方向に平行する２本が一対となる凸条の案内レール対からなる溝状レール部８１に対し、レバー７４の遊端が、求心バネ７１および球駒７２の弾性押圧力によって押し当てられ、回転力蓄積体９の直径方向にスライド自在に係合され、これら案内溝７０、求心バネ７１、球駒７２、支柱７３、レバー７４および溝状レール部８１の組み合わせによって自動進退機構７および外巻き力伝達機構８を兼ね備えた自動進退・外巻き力伝達機構７（８）とされたものとなっているから、図１および図２に示した、案内穴８２を有する案内レール部８１にレバー７４の遊端のスライド棒８０をスライド自在に組み合わせられたものに比較して、構造を簡素化し、より駆動抵抗を低減し、一段と効率的に作動可能なものとすることが可能となる。
【００６３】
（結  び）
叙述の如く、この発明の回転駆動力補助装置は、その新規な構成によって所期の目的を遍く達成可能とするものであり、しかも製造も容易で、従前からの渦巻バネを利用して出力を安定させる技術に比較して大幅に耐久強度を高め、軽量且つ低廉化して遥かに経済的なものとすることができる上、回転駆動源のエネルギー消費量を大幅削減し、化石燃料の使用量を抑制し、自然環境により優しく、しかも維持、経費を大幅に改善し得るものとなることから、長時間にわたって安定した出力を得ながら、省エネを達成したいと希望する機械業界、発電業界、および、製造業界など、様々な業界において高く評価され、広範に渡って利用、普及していくものになると予想される。                                                  
【符号の説明】
【００６４】
１      回転駆動力補助装置
２      主軸
Ｃ      仮想軸心
Ｃ０    同  先端
Ｃ１    同  基端
Ｃ２    同  正転方向
３      フレーム
３０    同  出力用の開口部
４      固定筒軸
４０    同  固定筒爪冠部
Ｖ    同  垂辺
Ｄ    同  傾斜辺
Ｍ      モーター（回転駆動源）
Ｍ０    同  駆動軸
Ｍ１    同  自動制御部
Ｍ２    同  回転数センサ
Ｍ３    同  ソフトウェア
Ｐ      回転伝達機構
Ｐ１    同  駆動プーリ
Ｐ２    同  従動プーリ
Ｂ    同  無端ベルト
Ｒ      逆転防止機構
Ｒ０    同  爪車部
Ｒ１    同  係合爪
５      中央回転体
Ｐ３    同  出力プーリ（回転出力部）
Ｐ４    同  装着筒部
５０    同  筒軸部
５１    同  中央爪冠部
Ｖ    同  垂辺
Ｄ    同  傾斜辺
Ｓ１    同  内端巻き渦巻きバネ
６      中央環状カバー
６０    同  回転慣性ウェイト
６１    同  格納壁
７      自動進退機構
７０    同  案内溝
７１    同  求心バネ
７２    同  球駒
７３    同  支柱
７４    同  レバー
７５    同  制限凸部
８      外巻き力伝達機構
８０    同  スライド棒
８１    同  案内レール部
８２    同  案内穴
９      回転力蓄積体
９０    同  進退筒
９１    同  回帰規制機構
９２    同  進限規制溝（進限位置）
９３    同  退限規制溝（退限位置）
９４    同  案内筒部
９５    同  コイルスプリング
９６    同  球駒
ＳＢ    同  滑り軸受
９７    同  基端爪冠部
Ｖ    同  垂辺
Ｄ    同  傾斜辺
９８    同  先端爪冠部
Ｖ    同  垂辺
Ｄ    同  傾斜辺
Ｓ２    同  外端巻き渦巻きバネ
９９    同  先端環状カバー
ＢＲ      軸受け機構
Ｅ      回転規制部
Ｅ０    同  制動凸部
Ｅ１    同  制動バー
【図１】
2020041638.tif 000003
【図２】
2020041638.tif 000004
【図３】
2020041638.tif 000005
【図４】
2020041638.tif 000006
【図５】
2020041638.tif 000007
【図６】
2020041638.tif 000008
【図７】
2020041638.tif 000009
【図８】
2020041638.tif 000010
【図９】
2020041638.tif 000011
【図１０】
2020041638.tif 000012
【図１１】
2020041638.tif 000013
【図１２】
2020041638.tif 000014
【図１３】
2020041638.tif 000015
【図１４】
2020041638.tif 000016
【図１５】
2020041638.tif 000017